(57)【要約】本発明は、移動端末通信制御方法、装置及び関連設備を提供する。当該移動端末通信制御方法において、マスタ基地局は、スレーブ基地局で移動端末の無線リンク失敗が生じたことを示す無線リンク失敗メッセージを当該移動端末から受信することと、スレーブ基地局の非アクティブを当該移動端末に指示するための第１非アクティブ指示メッセージを当該移動端末に送信することを含む。本発明の実施例に係る技術により、デュアルリンク方式の移動端末がスレーブ基地局で無線リンク失敗となると、移動端末通信を効果的に制御することができる。【選択図】図１
2016536930.tif 000002
【特許請求の範囲】
【請求項１】
マスタ基地局は、
スレーブ基地局で移動端末の無線リンク失敗が生じたことを示す無線リンク失敗メッセージを前記移動端末から受信し、
前記スレーブ基地局の非アクティブを前記移動端末に指示するための第１非アクティブ指示メッセージを前記移動端末に送信することを含むことを特徴とする移動端末通信制御方法。
【請求項２】
マスタ基地局は、
スレーブ基地局で移動端末の無線リンク失敗が生じたことを示す無線リンク失敗メッセージを前記移動端末から受信した後に、
前記移動端末の非アクティブを前記スレーブ基地局に指示するための第２非アクティブ指示メッセージを前記スレーブ基地局に送信することを更に含むことを特徴とする請求項１に記載の方法。
【請求項３】
マスタ基地局とスレーブ基地局に同時にアクセスする移動端末は、
前記スレーブ基地局で無線リンク失敗が生じると、スレーブ基地局で前記移動端末の無線リンク失敗が生じたことを示す無線リンク失敗メッセージを前記マスタ基地局に送信し、
前記スレーブ基地局の非アクティブを前記移動端末に指示するための第１非アクティブ指示メッセージを前記マスタ基地局から受信し、
前記スレーブ基地局に対し非アクティブ処理を行うことを含むことを特徴とする移動端末通信制御方法。
【請求項４】
マスタ基地局に応用する移動端末通信制御装置において、
スレーブ基地局で移動端末の無線リンク失敗が生じたことを示す無線リンク失敗メッセージを前記移動端末から受信するための受信ユニットと、
前記スレーブ基地局の非アクティブを前記移動端末に指示するための第１非アクティブ指示メッセージを前記移動端末に送信するための送信ユニットとを含むことを特徴とする移動端末通信制御装置。
【請求項５】
マスタ基地局とスレーブ基地局に同時にアクセスする移動端末において、
前記スレーブ基地局で前記移動端末の無線リンク失敗が生じると、スレーブ基地局で前記移動端末の無線リンク失敗が生じたことを示す無線リンク失敗メッセージを前記マスタ基地局に送信するための送信ユニットと、
前記スレーブ基地局の非アクティブを前記移動端末に指示するための第１非アクティブ指示メッセージを前記マスタ基地局から受信するための受信ユニットと、
前記スレーブ基地局に対し非アクティブ処理を行うための非アクティブユニットとを含むことを特徴とする移動端末。
【請求項６】
マスタ基地局は、
スレーブ基地局で移動端末の無線リンク失敗が生じたことを示す無線リンク失敗メッセージを前記移動端末から受信し、
前記スレーブ基地局で前記移動端末の無線リンク失敗が生じたことを示すリンク失敗指示メッセージを前記スレーブ基地局に送信し、
前記スレーブ基地局から前記リンク失敗指示メッセージの受信後に返信され、前記移動端末に対する無線配置情報とランダムアクセスリソース情報を受信し、
前記無線配置情報と前記ランダムアクセスリソース情報が付帯されるものであって、前記無線配置情報と前記ランダムアクセスリソース情報を用いて前記スレーブ基地局に再アクセスするよう前記移動端末に指示するための再アクセス指示メッセージを前記移動端末に送信することを含むことを特徴とする移動端末通信制御方法。
【請求項７】
マスタ基地局は、
前記再アクセス指示メッセージを前記移動端末に送信した後に、
前記スレーブ基地局へ前記移動端末の再アクセス成功を示す第１再アクセス成功メッセージを前記移動端末から受信し、
及び／又は、
前記スレーブ基地局へ前記移動端末の再アクセス成功を示す第２再アクセス成功メッセージを前記スレーブ基地局から受信することを更に含むことを特徴とする請求項６に記載の方法。
【請求項８】
マスタ基地局は、
前記再アクセス指示メッセージを前記移動端末に送信した後に、
前記スレーブ基地局へ前記移動端末の再アクセス失敗を示す再アクセス失敗メッセージを前記移動端末から受信し、
前記スレーブ基地局の非アクティブを前記移動端末に指示するための第１非アクティブ指示メッセージを前記移動端末に送信することを更に含むことを特徴とする請求項６又は７に記載の方法。
【請求項９】
マスタ基地局は、
前記移動端末から返信された前記再アクセス失敗メッセージを受信した後に、
前記移動端末の非アクティブを前記スレーブ基地局に指示するための第２非アクティブ指示メッセージを前記スレーブ基地局に送信することを更に含むことを特徴とする請求項８に記載の方法。
【請求項１０】
スレーブ基地局は、
前記スレーブ基地局で移動端末の無線リンク失敗が生じたことを示すリンク失敗指示メッセージをマスタ基地局から受信し、
前記移動端末に対し無線プロトコルレイヤを再配置し、
前記移動端末が前記スレーブ基地局に再アクセスするための、前記移動端末に対する無線配置情報とランダムアクセスリソース情報を前記マスタ基地局に送信することを含むことを特徴とする移動端末通信制御方法。
【請求項１１】
スレーブ基地局は、
前記スレーブ基地局へ前記移動端末の再アクセスが成功すると、前記スレーブ基地局へ前記移動端末の再アクセス成功を示す第２再アクセス成功メッセージを前記マスタ基地局に送信することを更に含むことを特徴とする請求項１０に記載の方法。
【請求項１２】
スレーブ基地局は、
前記スレーブ基地局へ前記移動端末の再アクセス失敗を示す再アクセス失敗メッセージを前記移動端末から受信した後に送信される第２非アクティブ指示メッセージを前記マスタ基地局から受信し、
前記移動端末に対し非アクティブ処理を行うことを更に含むことを特徴とする請求項１０又は１１に記載の方法。
【請求項１３】
マスタ基地局とスレーブ基地局に同時にアクセスする移動端末は、
前記スレーブ基地局で無線リンク失敗が生じると、スレーブ基地局で前記移動端末の無線リンク失敗が生じたことを示す無線リンク失敗メッセージを前記マスタ基地局に送信し、
前記スレーブ基地局で前記移動端末の無線リンク失敗が生じたことを示すリンク失敗指示メッセージを前記マスタ基地局から前記スレーブ基地局に送信した後に前記スレーブ基地局から前記マスタ基地局に送信される無線配置情報とランダムアクセスリソース情報が付帯される再アクセス指示メッセージを前記マスタ基地局から受信し、
前記無線配置情報と前記ランダムアクセスリソース情報を用いて前記スレーブ基地局に再アクセスすることを含むことを特徴とする移動端末通信制御方法。
【請求項１４】
マスタ基地局とスレーブ基地局に同時にアクセスする移動端末は、
前記スレーブ基地局へ前記移動端末の再アクセスが成功すると、前記スレーブ基地局へ前記移動端末の再アクセス成功を示す第１再アクセス成功メッセージを前記マスタ基地局に送信し、
前記スレーブ基地局へ前記移動端末の再アクセスが失敗すると、前記スレーブ基地局へ前記移動端末の再アクセス失敗を示す再アクセス失敗メッセージを前記マスタ基地局に送信することを更に含むことを特徴とする請求項１３に記載の方法。
【請求項１５】
マスタ基地局とスレーブ基地局に同時にアクセスする移動端末は、
前記再アクセス失敗メッセージを前記マスタ基地局に送信した後に、
前記スレーブ基地局の非アクティブを前記移動端末に指示するための第１非アクティブ指示メッセージを前記マスタ基地局から受信し、
前記スレーブ基地局に対し非アクティブ処理を行うことを更に含むことを特徴とする請求項１４に記載の方法。
【請求項１６】
マスタ基地局に応用する移動端末通信制御装置において、
スレーブ基地局で移動端末の無線リンク失敗が生じたことを示す無線リンク失敗メッセージを前記移動端末から受信するための第１受信ユニットと、
前記スレーブ基地局で前記移動端末の無線リンク失敗が生じたことを示すリンク失敗指示メッセージを前記スレーブ基地局に送信するための第１送信ユニットと、
前記スレーブ基地局から前記リンク失敗指示メッセージの受信後に返信され、前記移動端末に対する無線配置情報とランダムアクセスリソース情報を受信するための第２受信ユニットと、
前記無線配置情報と前記ランダムアクセスリソース情報が付帯されるものであって、前記無線配置情報と前記ランダムアクセスリソース情報を用いて前記スレーブ基地局に再アクセスするよう前記移動端末に指示するための再アクセス指示メッセージを前記移動端末に送信するための第２送信ユニットとを含むことを特徴とする移動端末通信制御装置。
【請求項１７】
スレーブ基地局に応用する移動端末通信制御装置において、
前記スレーブ基地局で移動端末の無線リンク失敗が生じたことを示すリンク失敗指示メッセージをマスタ基地局から受信するための受信ユニットと、
前記移動端末に対し無線プロトコルレイヤを再配置するための配置ユニットと、
前記移動端末が前記スレーブ基地局に再アクセスするための、前記移動端末に対する無線配置情報とランダムアクセスリソース情報を前記マスタ基地局に送信するための送信ユニットとを含むことを特徴とする移動端末通信制御装置。
【請求項１８】
マスタ基地局とスレーブ基地局に同時にアクセスする移動端末において、
前記スレーブ基地局で前記移動端末の無線リンク失敗が生じると、スレーブ基地局で前記移動端末の無線リンク失敗が生じたことを示す無線リンク失敗メッセージを前記マスタ基地局に送信するための送信ユニットと、
前記スレーブ基地局で前記移動端末の無線リンク失敗が生じたことを示すリンク失敗指示メッセージを前記マスタ基地局から前記スレーブ基地局に送信した後に前記スレーブ基地局から前記マスタ基地局に送信される無線配置情報とランダムアクセスリソース情報が付帯される再アクセス指示メッセージを前記マスタ基地局から受信するための受信ユニットと、
前記無線配置情報と前記ランダムアクセスリソース情報を用いて前記スレーブ基地局に再アクセスするためのアクセスユニットとを含むことを特徴とする移動端末通信制御装置。
【請求項１９】
スレーブ基地局は、
マスタ基地局で移動端末の無線リンク失敗が生じたことを示す無線リンク失敗メッセージを前記移動端末から受信し、
前記マスタ基地局で前記移動端末の無線リンク失敗が生じたことを示すリンク失敗指示メッセージを前記マスタ基地局に送信し、
前記マスタ基地局との間の情報のやりとりにより、前記移動端末の前記マスタ基地局での通信を前記スレーブ基地局にハンドオーバするよう確定し、
前記マスタ基地局での通信を前記スレーブ基地局にハンドオーバするよう前記移動端末に指示するためのハンドオーバ命令メッセージを前記移動端末に送信することを含むことを特徴とする移動端末通信制御方法。
【請求項２０】
スレーブ基地局が、前記マスタ基地局との間の情報のやりとりにより、前記移動端末の前記マスタ基地局での通信を前記スレーブ基地局にハンドオーバするよう確定することは、
前記移動端末の前記マスタ基地局での通信を前記スレーブ基地局にハンドオーバするよう要求するためのハンドオーバ要求メッセージを前記マスタ基地局から受信し、
前記移動端末の前記マスタ基地局での通信の前記スレーブ基地局へのハンドオーバ確定を指示するためのハンドオーバ確認メッセージを前記マスタ基地局に送信することを含むことを特徴とする請求項１９に記載の方法。
【請求項２１】
スレーブ基地局は、
前記移動端末の前記マスタ基地局での通信を前記スレーブ基地局にハンドオーバするよう確定した後に、
前記移動端末に伝送すべきサービスデータを前記マスタ基地局から受信し、
前記サービスデータを前記移動端末に送信することを更に含むことを特徴とする請求項１９又は２０に記載の方法。
【請求項２２】
マスタ基地局は、
前記マスタ基地局で移動端末の無線リンク失敗が生じたことを示すリンク失敗指示メッセージをスレーブ基地局から受信し、
前記スレーブ基地局との間の情報のやりとりにより、前記移動端末の前記マスタ基地局での通信を前記スレーブ基地局にハンドオーバするよう確定し、
前記移動端末に対し、コアネットワーク側の移動管理実体からの前記マスタ基地局へのパスを前記スレーブ基地局へのものに変換するよう要求するためのパス変換メッセージを移動管理実体に送信することを含むことを特徴とする移動端末通信制御方法。
【請求項２３】
マスタ基地局が、前記スレーブ基地局との間の情報のやりとりにより、前記移動端末の前記マスタ基地局での通信を前記スレーブ基地局にハンドオーバするよう確定することは、
前記移動端末の前記マスタ基地局での通信を前記スレーブ基地局にハンドオーバするよう要求するためのハンドオーバ要求メッセージを前記スレーブ基地局に送信し、
前記スレーブ基地局からのハンドオーバ確認メッセージを受信し、
前記ハンドオーバ確認メッセージに基づき、前記移動端末の前記マスタ基地局での通信を前記スレーブ基地局にハンドオーバするよう確定することを含むことを特徴とする請求項２２に記載の方法。
【請求項２４】
マスタ基地局は、
前記移動端末の前記マスタ基地局での通信を前記スレーブ基地局にハンドオーバするよう確定した後に、
前記移動端末に伝送すべきサービスデータを前記スレーブ基地局に送信し、前記サービスデータを前記スレーブ基地局により前記移動端末に転送することを更に含むことを特徴とする請求項２２又は２３に記載の方法。
【請求項２５】
マスタ基地局とスレーブ基地局に同時にアクセスする移動端末は、
前記マスタ基地局で無線リンク失敗が生じると、マスタ基地局で前記移動端末の無線リンク失敗が生じたことを示す無線リンク失敗メッセージを前記スレーブ基地局に送信し、
前記マスタ基地局で通信を前記スレーブ基地局にハンドオーバするよう前記移動端末に指示するためのハンドオーバ命令メッセージを前記スレーブ基地局から受信し、
前記マスタ基地局での通信を前記スレーブ基地局にハンドオーバすることを含むことを特徴とする移動端末通信制御方法。
【請求項２６】
マスタ基地局とスレーブ基地局に同時にアクセスする移動端末が、前記マスタ基地局での通信を前記スレーブ基地局にハンドオーバすることは、
前記マスタ基地局で配置される制御プレーン情報を削除し、
前記マスタ基地局でのデータ通信を前記スレーブ基地局にハンドオーバし、
前記スレーブ基地局での制御プレーン情報を配置することを含むことを特徴とする請求項２５に記載の方法。
【請求項２７】
スレーブ基地局に応用する移動端末通信制御装置において、
マスタ基地局で移動端末の無線リンク失敗が生じたことを示す無線リンク失敗メッセージを前記移動端末から受信するための第１受信ユニットと、
前記マスタ基地局で前記移動端末の無線リンク失敗が生じたことを示すリンク失敗指示メッセージを前記マスタ基地局に送信するための第１送信ユニットと、
前記マスタ基地局との間の情報のやりとりにより、前記移動端末の前記マスタ基地局での通信を前記スレーブ基地局にハンドオーバするよう確定するための確定ユニットと、
前記マスタ基地局での通信を前記スレーブ基地局にハンドオーバするよう前記移動端末に指示するためのハンドオーバ命令メッセージを前記移動端末に送信するための第２送信ユニットとを含むことを特徴とする移動端末通信制御装置。
【請求項２８】
マスタ基地局に応用する移動端末通信制御装置において、
前記マスタ基地局で移動端末の無線リンク失敗が生じたことを示すリンク失敗指示メッセージをスレーブ基地局から受信するための受信ユニットと、
前記スレーブ基地局との間の情報のやりとりにより、前記移動端末の前記マスタ基地局での通信を前記スレーブ基地局にハンドオーバするよう確定するための確定ユニットと、
前記移動端末に対し、コアネットワーク側の移動管理実体からの前記マスタ基地局へのパスを前記スレーブ基地局へのものに変換するよう要求するためのパス変換メッセージを移動管理実体に送信するための第１送信ユニットとを含むことを特徴とする移動端末通信制御装置。
【請求項２９】
マスタ基地局とスレーブ基地局に同時にアクセスする移動端末において、
前記マスタ基地局で前記移動端末の無線リンク失敗が生じると、マスタ基地局で前記移動端末の無線リンク失敗が生じたことを示す無線リンク失敗メッセージを前記スレーブ基地局に送信するための送信ユニットと、
前記マスタ基地局で通信を前記スレーブ基地局にハンドオーバするよう前記移動端末に指示するためのハンドオーバ命令メッセージを前記スレーブ基地局から受信するための受信ユニットと、
前記マスタ基地局での通信を前記スレーブ基地局にハンドオーバするためのハンドオーバユニットとを含むことを特徴とする移動端末。
【請求項３０】
スレーブ基地局は、
マスタ基地局で移動端末の無線リンク失敗が生じたことを示す無線リンク失敗メッセージを前記移動端末から受信し、
前記マスタ基地局で前記移動端末の無線リンク失敗が生じたことを示すリンク失敗指示メッセージを前記マスタ基地局に送信し、
前記マスタ基地局から前記リンク失敗指示メッセージの受信後に返信され、前記移動端末に対する無線配置情報とランダムアクセスリソース情報を受信し、
前記無線配置情報と前記ランダムアクセスリソース情報が付帯されるものであって、前記無線配置情報と前記ランダムアクセスリソース情報を用いて前記マスタ基地局に再アクセスするよう前記移動端末に指示するための再アクセス指示メッセージを前記移動端末に送信することを含むことを特徴とする移動端末通信制御方法。
【請求項３１】
スレーブ基地局は、
前記再アクセス指示メッセージを前記移動端末に送信した後に、
前記マスタ基地局へ前記移動端末の再アクセス成功を示す第１再アクセス成功メッセージを前記移動端末から受信し、
及び／又は、
前記マスタ基地局へ前記移動端末の再アクセス成功を示す第２再アクセス成功メッセージを前記マスタ基地局から受信することを更に含むことを特徴とする請求項３０に記載の方法。
【請求項３２】
スレーブ基地局は、
前記再アクセス指示メッセージを前記移動端末に送信した後に、
前記マスタ基地局へ前記移動端末の再アクセス失敗を示す第１再アクセス失敗メッセージを前記移動端末から受信し、
前記マスタ基地局へ前記移動端末の再アクセス失敗を示す第２再アクセス失敗メッセージを前記マスタ基地局に送信し、
前記マスタ基地局との間の情報のやりとりにより、前記移動端末の前記マスタ基地局での通信を前記スレーブ基地局にハンドオーバするよう確定し、
前記マスタ基地局での通信を前記スレーブ基地局にハンドオーバするよう前記移動端末に指示するためのハンドオーバ命令メッセージを前記移動端末に送信することを含むことを特徴とする請求項３０又は３１に記載の方法。
【請求項３３】
スレーブ基地局が、前記マスタ基地局との間の情報のやりとりにより、前記移動端末の前記マスタ基地局での通信を前記スレーブ基地局にハンドオーバするよう確定することは、
前記移動端末の前記マスタ基地局での通信を前記スレーブ基地局にハンドオーバするよう要求するためのハンドオーバ要求メッセージを前記マスタ基地局から受信し、
前記移動端末の前記マスタ基地局での通信の前記スレーブ基地局へのハンドオーバ確定を指示するためのハンドオーバ確認メッセージを前記マスタ基地局に送信することを含むことを特徴とする請求項３２に記載の方法。
【請求項３４】
スレーブ基地局は、
前記移動端末の前記マスタ基地局での通信を前記スレーブ基地局にハンドオーバするよう確定した後に、
前記移動端末に伝送すべきサービスデータを前記マスタ基地局から受信し、
前記サービスデータを前記移動端末に送信することを更に含むことを特徴とする請求項３２に記載の方法。
【請求項３５】
マスタ基地局は、
前記マスタ基地局で移動端末の無線リンク失敗が生じたことを示すリンク失敗指示メッセージをスレーブ基地局から受信し、
前記移動端末に対し無線プロトコルレイヤを再配置し、
前記移動端末が前記マスタ基地局に再アクセスするための、前記移動端末に対する無線配置情報とランダムアクセスリソース情報を前記スレーブ基地局に送信することを含むことを特徴とする移動端末通信制御方法。
【請求項３６】
マスタ基地局は、
前記マスタ基地局へ前記移動端末の再アクセスが成功すると、前記マスタ基地局へ前記移動端末の再アクセス成功を示す第２再アクセス成功メッセージを前記スレーブ基地局に送信することを更に含むことを特徴とする請求項３５に記載の方法。
【請求項３７】
マスタ基地局は、
前記マスタ基地局へ前記移動端末の再アクセス失敗を示す第２再アクセス失敗メッセージを前記スレーブ基地局から受信し、
前記第２再アクセス失敗メッセージに基づき、前記マスタ基地局へ前記移動端末の再アクセス失敗を確定し、
前記スレーブ基地局との間の情報のやりとりにより、前記移動端末の前記マスタ基地局での通信を前記スレーブ基地局にハンドオーバするよう確定し、
前記移動端末に対し、コアネットワーク側の移動管理実体からの前記マスタ基地局へのパスを前記スレーブ基地局へのものに変換するよう要求するためのパス変換メッセージを移動管理実体に送信することを含むことを特徴とする請求項３５又は３６に記載の方法。
【請求項３８】
マスタ基地局が、前記スレーブ基地局との間の情報のやりとりにより、前記移動端末の前記マスタ基地局での通信を前記スレーブ基地局にハンドオーバするよう確定することは、
前記移動端末の前記マスタ基地局での通信を前記スレーブ基地局にハンドオーバするよう要求するためのハンドオーバ要求メッセージを前記スレーブ基地局に送信し、
前記スレーブ基地局からのハンドオーバ確認メッセージを受信し、
前記ハンドオーバ確認メッセージに基づき、前記移動端末の前記マスタ基地局での通信を前記スレーブ基地局にハンドオーバするよう確定することを含むことを特徴とする請求項３７に記載の方法。
【請求項３９】
マスタ基地局は、
前記移動端末の前記マスタ基地局での通信を前記スレーブ基地局にハンドオーバするよう確定した後に、
前記移動端末に伝送すべきサービスデータを前記スレーブ基地局に送信し、前記サービスデータを前記スレーブ基地局により前記移動端末に転送することを更に含むことを特徴とする請求項３７に記載の方法。
【請求項４０】
マスタ基地局とスレーブ基地局に同時にアクセスする移動端末は、
前記マスタ基地局で無線リンク失敗が生じると、マスタ基地局で前記移動端末の無線リンク失敗が生じたことを示す無線リンク失敗メッセージを前記スレーブ基地局に送信し、
前記マスタ基地局で前記移動端末の無線リンク失敗が生じたことを示すリンク失敗指示メッセージを前記スレーブ基地局から前記マスタ基地局に送信した後に前記マスタ基地局から前記スレーブ基地局に送信される無線配置情報とランダムアクセスリソース情報が付帯される再アクセス指示メッセージを前記スレーブ基地局から受信し、
前記無線配置情報と前記ランダムアクセスリソース情報を用いて前記マスタ基地局に再アクセスすることを含むことを特徴とする移動端末通信制御方法。
【請求項４１】
前記移動端末は、
前記マスタ基地局への再アクセスが成功すると、前記マスタ基地局へ前記移動端末の再アクセス成功を示す第１再アクセス成功メッセージを前記スレーブ基地局に送信し、
前記マスタ基地局への再アクセスが失敗すると、前記マスタ基地局へ前記移動端末の再アクセス失敗を示す第１再アクセス失敗メッセージを前記スレーブ基地局に送信することを更に含むことを特徴とする請求項４０に記載の方法。
【請求項４２】
前記移動端末は、
前記第１再アクセス失敗メッセージを前記スレーブ基地局に送信した後に、
前記マスタ基地局で通信を前記スレーブ基地局にハンドオーバするよう前記移動端末に指示するためのハンドオーバ命令メッセージを前記スレーブ基地局から受信し、
前記マスタ基地局での通信を前記スレーブ基地局にハンドオーバすることを更に含むことを特徴とする請求項４１に記載の方法。
【請求項４３】
前記マスタ基地局での通信を前記スレーブ基地局にハンドオーバすることは、
前記マスタ基地局で配置される制御プレーン情報を削除し、
前記マスタ基地局でのデータ通信を前記スレーブ基地局にハンドオーバし、
前記スレーブ基地局での制御プレーン情報を配置することを含むことを特徴とする請求項４２に記載の方法。
【請求項４４】
スレーブ基地局に応用する移動端末通信制御装置において、
マスタ基地局で移動端末の無線リンク失敗が生じたことを示す無線リンク失敗メッセージを前記移動端末から受信するための第１受信ユニットと、
前記マスタ基地局で前記移動端末の無線リンク失敗が生じたことを示すリンク失敗指示メッセージを前記マスタ基地局に送信するための第１送信ユニットと、
前記マスタ基地局から前記リンク失敗指示メッセージの受信後に返信され、前記移動端末に対する無線配置情報とランダムアクセスリソース情報を受信するための第２受信ユニットと、
前記無線配置情報と前記ランダムアクセスリソース情報が付帯されるものであって、前記無線配置情報と前記ランダムアクセスリソース情報を用いて前記マスタ基地局に再アクセスするよう前記移動端末に指示するための再アクセス指示メッセージを前記移動端末に送信するための第２送信ユニットとを含むことを特徴とする移動端末通信制御装置。
【請求項４５】
マスタ基地局に応用する移動端末通信制御装置において、
前記マスタ基地局で移動端末の無線リンク失敗が生じたことを示すリンク失敗指示メッセージをスレーブ基地局から受信するための受信ユニットと、
前記移動端末に対し無線プロトコルレイヤを再配置するための配置ユニットと、
前記移動端末が前記マスタ基地局に再アクセスするための、前記移動端末に対する無線配置情報とランダムアクセスリソース情報を前記スレーブ基地局に送信するための第１送信ユニットとを含むことを特徴とする移動端末通信制御装置。
【請求項４６】
マスタ基地局とスレーブ基地局に同時にアクセスする移動端末において、
前記マスタ基地局で前記移動端末の無線リンク失敗が生じると、マスタ基地局で前記移動端末の無線リンク失敗が生じたことを示す無線リンク失敗メッセージを前記スレーブ基地局に送信するための送信ユニットと、
前記マスタ基地局で前記移動端末の無線リンク失敗が生じたことを示すリンク失敗指示メッセージを前記スレーブ基地局から前記マスタ基地局に送信した後に前記マスタ基地局から前記スレーブ基地局に送信される無線配置情報とランダムアクセスリソース情報が付帯される再アクセス指示メッセージを前記スレーブ基地局から受信するための受信ユニットと、
前記無線配置情報と前記ランダムアクセスリソース情報を用いて前記マスタ基地局に再アクセスするためのアクセスユニットとを含むことを特徴とする移動端末。
【請求項４７】
Ｓ１１）マスタ基地局は、スレーブ基地局で移動端末の無線リンク失敗が生じたことを示す無線リンク失敗メッセージを前記移動端末から受信する；
Ｓ１２）マスタ基地局は、前記スレーブ基地局への再アクセスを前記移動端末に指示するかを判断し、指示する場合ステップＳ１３を実行するが、指示しない場合ステップＳ１６を実行する；
Ｓ１３）マスタ基地局は、スレーブ基地局で当該移動端末の無線リンク失敗が生じたことを示すリンク失敗指示メッセージをスレーブ基地局に送信する；
Ｓ１４）マスタ基地局は、スレーブ基地局がリンク失敗指示メッセージの受信後に返信され、当該移動端末に対する無線配置情報とランダムアクセスリソース情報を受信する；
Ｓ１５）マスタ基地局は、当該無線配置情報と当該ランダムアクセスリソース情報が付帯されるものであって、当該無線配置情報と当該ランダムアクセスリソース情報を用いてマスタ基地局に再アクセスするよう当該移動端末に指示するための再アクセス指示メッセージを当該移動端末に送信する；
Ｓ１６）マスタ基地局は、スレーブ基地局の非アクティブを当該移動端末に指示するための第１非アクティブ指示メッセージを当該移動端末に送信すること
を含むことを特徴とする移動端末通信制御方法。
【請求項４８】
Ｓ２１）スレーブ基地局は、マスタ基地局で移動端末の無線リンク失敗が生じたことを示す無線リンク失敗メッセージを当該移動端末から受信する；
Ｓ２２）スレーブ基地局は、前記マスタ基地局への再アクセスを前記移動端末に指示するかを判断し、指示する場合ステップＳ２３を実行するが、指示しない場合ステップＳ２６を実行する；
Ｓ２３）スレーブ基地局は、マスタ基地局で移動端末の無線リンク失敗が生じたことを示すリンク失敗指示メッセージをマスタ基地局に送信する；
Ｓ２４）スレーブ基地局は、マスタ基地局がリンク失敗指示メッセージの受信後に返信され、当該移動端末に対する無線配置情報とランダムアクセスリソース情報を受信する；
Ｓ２５）スレーブ基地局は、当該無線配置情報と当該ランダムアクセスリソース情報が付帯されるものであって、当該無線配置情報と当該ランダムアクセスリソース情報を用いてマスタ基地局に再アクセスするよう移動端末に指示するための再アクセス指示メッセージを移動端末に送信する；
Ｓ２６）スレーブ基地局は、マスタ基地局で当該移動端末の無線リンク失敗が生じたことを示すリンク失敗指示メッセージをマスタ基地局に送信する；
Ｓ２７）スレーブ基地局は、マスタ基地局との間の情報のやりとりにより、当該移動端末のマスタ基地局での通信をスレーブ基地局にハンドオーバするよう確定する；
Ｓ２８）スレーブ基地局は、マスタ基地局での通信をスレーブ基地局にハンドオーバするよう当該移動端末に指示するためのハンドオーバ命令メッセージを当該移動端末に送信すること
を含むことを特徴とする移動端末通信制御方法。
【発明の詳細な説明】
【技術分野】
【０００１】
本願は、２０１３年９月１８日に中国特許庁に提出された中国特許出願２０１３１０４７８６１７．Ｘ（発明の名称：「移動端末通信方法、装置及び関連設備」）の優先権を主張し、その全ての内容が援用により本願に取り込まれる。
【０００２】
本発明は、通信技術分野に関し、特に移動端末通信制御方法、装置及び関連設備に関する。
【背景技術】
【０００３】
移動通信事業者による音声サービスとデータサービスの多くは、室内で発生し、それぞれ約６０％と７０％を占めることが現在のセルラーネットワークに対する統計結果から明らかになっている。また、予測では、今後データサービスがハイスピードで増加し、これから１０年間で約１０００倍増加し、そのうち室内のサービスデータ量がサービス量全体の９０％を占める。従って、従来のセルラーネットワークのカバー方式は、室内とホットスポットの無線データサービスの日増しに増加するリクエストに徐々に満足できなくなる。例えば、従来の２Ｇ、３Ｇネットワークの無線アクセス容量の極限が徐々に現れ、サイトアドレスやフィードリソースの取得がますます難しくなり、密集シティエリアでの基地局間距離が理論的極限に近づくことで、従来のセルラーマクロ基地局の密集配置、及びマクロ基地局の配置と運営コストの高騰をサポートできず、新規マクロ基地局の容量拡大というネットワーク構築方式の維持が難しい。
【０００４】
現在、ホットスポットと室内データサービス発展に対する一つの解決法は、スモールセル（Ｓｍａｌｌ  Ｃｅｌｌ）技術である。現在、業界では、基準で定義されるピコ基地局と家庭基地局でカバーするセルをスモールセルと称し、スモールセルの基地局をスレーブ基地局（ＳｅＮＢ）、スモールセルに対するマクロセルの基地局をマスタ基地局（ＭｅＮＢ）と称する。スモールセルは、干渉管理、ノードの自己起動をサポートし、且つコアネットワークとネットワーク管理システムをセルラーネットワークと共有するため、その配置と管理が比較的簡単であり、将来の室内とホットスポットデータサービスのカバーと容量を解決する主流方向となっている。
【０００５】
しかも、スモールセル技術が導入されると、移動端末がマスタ基地局とスレーブ基地局に同時にアクセスすることができる。即ち移動端末は、デュアルリンク方式で、マスタ基地局とスレーブ基地局を介して同時に通信することができ、ネットワークのスループットと通信品質を向上させる。
【０００６】
しかし、デュアルリンク方式の移動端末がマスタ基地局又はスレーブ基地局で無線リンク失敗ＲＬＦ（Ｒａｄｉｏ  Ｌｉｎｋ  Ｆａｉｌｕｒｅ）となると、移動端末の効果的通信を保証するための対応な通信制御方法は、従来技術においてまだ提案されていない。
【発明の概要】
【０００７】
本発明の実施例は、デュアルリンク方式の移動端末がスレーブ基地局で無線リンク失敗となると、移動端末通信を効果的に制御できないという従来技術に存在する問題を解決するための移動端末通信制御方法、装置及び関連設備を提供する。
本発明の実施例は、デュアルリンク方式の移動端末がマスタ基地局で無線リンク失敗となると、移動端末通信を効果的に制御できないという従来技術に存在する問題を解決するための移動端末通信制御方法、装置及び関連設備を提供する。
【０００８】
本発明の実施例は、移動端末通信制御方法を提供する。マスタ基地局は、スレーブ基地局で移動端末の無線リンク失敗が生じたことを示す無線リンク失敗メッセージを前記移動端末から受信することと、前記スレーブ基地局の非アクティブを前記移動端末に指示するための第１非アクティブ指示メッセージを前記移動端末に送信することとを含む。
【０００９】
また、マスタ基地局は、スレーブ基地局で移動端末の無線リンク失敗が生じたことを示す無線リンク失敗メッセージを前記移動端末から受信した後に、前記移動端末の非アクティブを前記スレーブ基地局に指示するための第２非アクティブ指示メッセージを前記スレーブ基地局に送信することを更に含む。
【００１０】
また、本発明の実施例は、移動端末通信制御方法を提供する。マスタ基地局とスレーブ基地局に同時にアクセスする移動端末は、前記スレーブ基地局で無線リンク失敗が生じると、スレーブ基地局で前記移動端末の無線リンク失敗が生じたことを示す無線リンク失敗メッセージを前記マスタ基地局に送信することと、前記マスタ基地局からの第１非アクティブ指示メッセージを受信することと、前記スレーブ基地局に対し非アクティブ処理を行うこととを含む。
【００１１】
また、本発明の実施例は、マスタ基地局に応用する移動端末通信制御装置を提供する。当該移動端末通信制御装置は、スレーブ基地局で移動端末の無線リンク失敗が生じたことを示す無線リンク失敗メッセージを前記移動端末から受信するための受信ユニットと、前記スレーブ基地局の非アクティブを前記移動端末に指示するための第１非アクティブ指示メッセージを前記移動端末に送信するための送信ユニットとを含む。
【００１２】
また、送信ユニットは、スレーブ基地局で移動端末の無線リンク失敗が生じたことを示す無線リンク失敗メッセージを前記移動端末から受信ユニットに受信された後に、前記移動端末の非アクティブを前記スレーブ基地局に指示するための第２非アクティブ指示メッセージを前記スレーブ基地局に送信する
【００１３】
また、本発明の実施例は、マスタ基地局とスレーブ基地局に同時にアクセスする移動端末を提供する。当該移動端末は、前記スレーブ基地局で前記移動端末の無線リンク失敗が生じると、スレーブ基地局で前記移動端末の無線リンク失敗が生じたことを示す無線リンク失敗メッセージを前記マスタ基地局に送信するための送信ユニットと、前記マスタ基地局からの第１非アクティブ指示メッセージを受信するための受信ユニットと、前記スレーブ基地局に対し非アクティブ処理を行うための非アクティブユニットとを含む。
【００１４】
本発明の実施例に係る上記技術において、移動端末は、スレーブ基地局で無線リンク失敗が生じると、スレーブ基地局で無線リンク失敗が生じたことをマスタ基地局に知らせるための無線リンク失敗メッセージをマスタ基地局に送信するが、マスタ基地局は、移動端末からの無線リンク失敗メッセージを受信した後に、スレーブ基地局の非アクティブを移動端末に指示するための第１非アクティブ指示メッセージを移動端末に送信する。よって、移動端末は、スレーブ基地局の非アクティブの後に、マスタ基地局のみを介して効果的に通信することができ、引き続きスレーブ基地局を介した通信を試みようとして通信に失敗することが回避される。
【００１５】
本発明の実施例は、移動端末通信制御方法を提供する。マスタ基地局は、スレーブ基地局で移動端末の無線リンク失敗が生じたことを示す無線リンク失敗メッセージを前記移動端末から受信することと、前記スレーブ基地局で前記移動端末の無線リンク失敗が生じたことを示すリンク失敗指示メッセージを前記スレーブ基地局に送信することと、前記スレーブ基地局から前記リンク失敗指示メッセージの受信後に返信され、前記移動端末に対する無線配置情報とランダムアクセスリソース情報を受信することと、前記無線配置情報と前記ランダムアクセスリソース情報が付帯されるものであって、前記無線配置情報と前記ランダムアクセスリソース情報を用いて前記スレーブ基地局に再アクセスするよう前記移動端末に指示するための再アクセス指示メッセージを前記移動端末に送信することとを含む。
【００１６】
また、マスタ基地局は、前記再アクセス指示メッセージを前記移動端末に送信した後に、前記スレーブ基地局へ前記移動端末の再アクセス成功を示す第１再アクセス成功メッセージを前記移動端末から受信し、及び／又は、前記スレーブ基地局へ前記移動端末の再アクセス成功を示す第２再アクセス成功メッセージを前記スレーブ基地局から受信することを更に含む。
【００１７】
また、マスタ基地局は、前記再アクセス指示メッセージを前記移動端末に送信した後に、前記スレーブ基地局へ前記移動端末の再アクセス失敗を示す再アクセス失敗メッセージを前記移動端末から受信することと、前記スレーブ基地局の非アクティブを前記移動端末に指示するための第１非アクティブ指示メッセージを前記移動端末に送信することを更に含む。
【００１８】
また、マスタ基地局は、前記移動端末から返信された前記再アクセス失敗メッセージを受信した後に、前記移動端末の非アクティブを前記スレーブ基地局に指示するための第２非アクティブ指示メッセージを前記スレーブ基地局に送信することを更に含む。
【００１９】
また、本発明の実施例は、移動端末通信制御方法を提供する。スレーブ基地局は、前記スレーブ基地局で移動端末の無線リンク失敗が生じたことを示すリンク失敗指示メッセージをマスタ基地局から受信することと、前記移動端末に対し無線プロトコルレイヤを再配置することと、前記移動端末が前記スレーブ基地局に再アクセスするための、前記移動端末に対する無線配置情報とランダムアクセスリソース情報を前記マスタ基地局に送信することとを含む。
【００２０】
また、スレーブ基地局は、前記スレーブ基地局へ前記移動端末の再アクセスが成功すると、前記スレーブ基地局へ前記移動端末の再アクセス成功を示す第２再アクセス成功メッセージを前記マスタ基地局に送信することを更に含む。
【００２１】
また、スレーブ基地局は、前記マスタ基地局からの第２非アクティブ指示メッセージを受信することと、前記移動端末に対し非アクティブ処理を行うことを更に含む。前記第２非アクティブ指示メッセージは、前記スレーブ基地局へ前記移動端末の再アクセス失敗を示す再アクセス失敗メッセージを前記移動端末から前記マスタ基地局に送信した後に、前記マスタ基地局から送信されるものである。
【００２２】
また、本発明の実施例は、移動端末通信制御方法を提供する。マスタ基地局とスレーブ基地局に同時にアクセスする移動端末は、前記スレーブ基地局で無線リンク失敗が生じると、スレーブ基地局で前記移動端末の無線リンク失敗が生じたことを示す無線リンク失敗メッセージを前記マスタ基地局に送信することと、前記スレーブ基地局で前記移動端末の無線リンク失敗が生じたことを示すリンク失敗指示メッセージを前記マスタ基地局から前記スレーブ基地局に送信した後に前記スレーブ基地局から前記マスタ基地局に送信される無線配置情報とランダムアクセスリソース情報が付帯される再アクセス指示メッセージを前記マスタ基地局から受信することと、前記無線配置情報と前記ランダムアクセスリソース情報を用いて前記スレーブ基地局に再アクセスすることとを含む。
【００２３】
また、マスタ基地局とスレーブ基地局に同時にアクセスする移動端末は、前記スレーブ基地局へ前記移動端末の再アクセスが成功すると、前記スレーブ基地局へ前記移動端末の再アクセス成功を示す第１再アクセス成功メッセージを前記マスタ基地局に送信することと、前記スレーブ基地局へ前記移動端末の再アクセスが失敗すると、前記スレーブ基地局へ前記移動端末の再アクセス失敗を示す再アクセス失敗メッセージを前記マスタ基地局に送信することを更に含む。
【００２４】
また、マスタ基地局とスレーブ基地局に同時にアクセスする移動端末は、前記再アクセス失敗メッセージを前記マスタ基地局に送信した後に、前記マスタ基地局からの第１非アクティブ指示メッセージを受信することと、前記スレーブ基地局に対し非アクティブ処理を行うことを更に含む。
【００２５】
また、本発明の実施例は、マスタ基地局に応用する移動端末通信制御装置を提供する。当該移動端末通信制御装置は、スレーブ基地局で移動端末の無線リンク失敗が生じたことを示す無線リンク失敗メッセージを前記移動端末から受信するための第１受信ユニットと、前記スレーブ基地局で前記移動端末の無線リンク失敗が生じたことを示すリンク失敗指示メッセージを前記スレーブ基地局に送信するための第１送信ユニットと、前記スレーブ基地局から前記リンク失敗指示メッセージの受信後に返信され、前記移動端末に対する無線配置情報とランダムアクセスリソース情報を受信するための第２受信ユニットと、前記無線配置情報と前記ランダムアクセスリソース情報が付帯されるものであって、前記無線配置情報と前記ランダムアクセスリソース情報を用いて前記スレーブ基地局に再アクセスするよう前記移動端末に指示するための再アクセス指示メッセージを前記移動端末に送信するための第２送信ユニットとを含む。
【００２６】
また、前記第１受信ユニットは、前記第２送信ユニットから前記再アクセス指示メッセージを前記移動端末に送信した後に、前記スレーブ基地局へ前記移動端末の再アクセス成功を示す第１再アクセス成功メッセージを前記移動端末から受信し、及び／又は、前記第２受信ユニットは、前記第２送信ユニットから前記再アクセス指示メッセージを前記移動端末に送信した後に、前記スレーブ基地局へ前記移動端末の再アクセス成功を示す第２再アクセス成功メッセージを前記スレーブ基地局から受信する。
【００２７】
また、前記第１受信ユニットは、前記第２送信ユニットから前記再アクセス指示メッセージを前記移動端末に送信した後に、前記スレーブ基地局へ前記移動端末の再アクセス失敗を示す再アクセス失敗メッセージを前記移動端末から受信し、前記第２送信ユニットは、前記スレーブ基地局の非アクティブを前記移動端末に指示するための第１非アクティブ指示メッセージを前記移動端末に送信する。
【００２８】
また、前記第１受信ユニットは、前記移動端末から前記第１受信ユニットに返信された前記再アクセス失敗メッセージを受信した後に、前記移動端末の非アクティブを前記スレーブ基地局に指示するための第２非アクティブ指示メッセージを前記スレーブ基地局に送信する。
【００２９】
また、本発明の実施例は、スレーブ基地局に応用する移動端末通信制御装置を提供する。当該移動端末通信制御装置は、前記スレーブ基地局で移動端末の無線リンク失敗が生じたことを示すリンク失敗指示メッセージをマスタ基地局から受信するための受信ユニットと、前記移動端末に対し無線プロトコルレイヤを再配置するための配置ユニットと、前記移動端末が前記スレーブ基地局に再アクセスするための、前記移動端末に対する無線配置情報とランダムアクセスリソース情報を前記マスタ基地局に送信するための送信ユニットとを含む。
【００３０】
また、前記送信ユニットは、前記スレーブ基地局へ前記移動端末の再アクセスが成功すると、前記スレーブ基地局へ前記移動端末の再アクセス成功を示す第２再アクセス成功メッセージを前記マスタ基地局に送信する。
【００３１】
また、前記受信ユニットは、前記マスタ基地局からの第２非アクティブ指示メッセージを受信する。前記第２非アクティブ指示メッセージは、前記スレーブ基地局へ前記移動端末の再アクセス失敗を示す再アクセス失敗メッセージを前記移動端末から前記マスタ基地局に送信した後に、前記マスタ基地局から送信されるものである。
【００３２】
当該移動端末通信制御装置は、前記移動端末に対し非アクティブ処理を行うための非アクティブユニットを更に含む。
【００３３】
本発明の実施例は、マスタ基地局とスレーブ基地局に同時にアクセスする移動端末を提供する。当該移動端末は、前記スレーブ基地局で前記移動端末の無線リンク失敗が生じると、スレーブ基地局で前記移動端末の無線リンク失敗が生じたことを示す無線リンク失敗メッセージを前記マスタ基地局に送信するための送信ユニットと、前記スレーブ基地局で前記移動端末の無線リンク失敗が生じたことを示すリンク失敗指示メッセージを前記マスタ基地局から前記スレーブ基地局に送信した後に前記スレーブ基地局から前記マスタ基地局に送信される無線配置情報とランダムアクセスリソース情報が付帯される再アクセス指示メッセージを前記マスタ基地局から受信するための受信ユニットと、前記無線配置情報と前記ランダムアクセスリソース情報を用いて前記スレーブ基地局に再アクセスするためのアクセスユニットとを含む。
【００３４】
また、前記送信ユニットは、前記スレーブ基地局へ前記移動端末の再アクセスが成功すると、前記スレーブ基地局へ前記移動端末の再アクセス成功を示す第１再アクセス成功メッセージを前記マスタ基地局に送信し、前記スレーブ基地局へ前記移動端末の再アクセスが失敗すると、前記スレーブ基地局へ前記移動端末の再アクセス失敗を示す再アクセス失敗メッセージを前記マスタ基地局に送信する。
【００３５】
また、前記受信ユニットは、前記送信ユニットから前記再アクセス失敗メッセージを前記マスタ基地局に送信した後に、前記マスタ基地局からの第１非アクティブ指示メッセージを受信する。
【００３６】
当該移動端末は、前記スレーブ基地局に対し非アクティブ処理を行うための非アクティブユニットを更に含む。
【００３７】
本発明の実施例に係る上記技術によれば、移動端末がスレーブ基地局で無線リンク失敗が生じると、まず当該スレーブ基地局へ再アクセスするための移動端末制御を試みてもよい。よって、当該移動端末が再びデュアルリンクになり、当該移動端末の良好な通信品質を引き続き保証することができる。
しかも、スレーブ基地局への再アクセスが失敗すると、マスタ基地局は、スレーブ基地局の非アクティブを移動端末に指示するための第１非アクティブ指示メッセージを移動端末に送信してもよい。よって、移動端末は、スレーブ基地局の非アクティブの後に、マスタ基地局のみを介して効果的に通信することができ、引き続きスレーブ基地局を介した通信を試みようとして通信に失敗することが回避される。
【００３８】
本発明の実施例は、移動端末通信制御方法を提供する。スレーブ基地局は、マスタ基地局で移動端末の無線リンク失敗が生じたことを示す無線リンク失敗メッセージを前記移動端末から受信することと、前記マスタ基地局で前記移動端末の無線リンク失敗が生じたことを示すリンク失敗指示メッセージを前記マスタ基地局に送信することと、前記マスタ基地局との間の情報のやりとりにより、前記移動端末の前記マスタ基地局での通信を前記スレーブ基地局にハンドオーバするよう確定することと、前記マスタ基地局での通信を前記スレーブ基地局にハンドオーバするよう前記移動端末に指示するためのハンドオーバ命令メッセージを前記移動端末に送信することを含む。
【００３９】
また、スレーブ基地局が、前記マスタ基地局との間の情報のやりとりにより、前記移動端末の前記マスタ基地局での通信を前記スレーブ基地局にハンドオーバするよう確定することは、前記移動端末の前記マスタ基地局での通信を前記スレーブ基地局にハンドオーバするよう要求するためのハンドオーバ要求メッセージを前記マスタ基地局から受信することと、前記移動端末の前記マスタ基地局での通信の前記スレーブ基地局へのハンドオーバ確定を指示するためのハンドオーバ確認メッセージを前記マスタ基地局に送信することとを含む。
【００４０】
また、スレーブ基地局は、前記移動端末の前記マスタ基地局での通信を前記スレーブ基地局にハンドオーバするよう確定した後に、前記移動端末に伝送すべきサービスデータを前記マスタ基地局から受信し、前記サービスデータを前記移動端末に送信することを更に含む。
【００４１】
また、本発明の実施例は、移動端末通信制御方法を提供する。マスタ基地局は、前記マスタ基地局で移動端末の無線リンク失敗が生じたことを示すリンク失敗指示メッセージをスレーブ基地局から受信することと、前記スレーブ基地局との間の情報のやりとりにより、前記移動端末の前記マスタ基地局での通信を前記スレーブ基地局にハンドオーバするよう確定することと、前記移動端末に対し、コアネットワーク側の移動管理実体からの前記マスタ基地局へのパスを前記スレーブ基地局へのものに変換するよう要求するためのパス変換メッセージを移動管理実体に送信することとを含む。
【００４２】
また、マスタ基地局が、前記スレーブ基地局との間の情報のやりとりにより、前記移動端末の前記マスタ基地局での通信を前記スレーブ基地局にハンドオーバするよう確定することは、前記移動端末の前記マスタ基地局での通信を前記スレーブ基地局にハンドオーバするよう要求するためのハンドオーバ要求メッセージを前記スレーブ基地局に送信することと、前記スレーブ基地局からのハンドオーバ確認メッセージを受信することと、前記ハンドオーバ確認メッセージに基づき、前記移動端末の前記マスタ基地局での通信を前記スレーブ基地局にハンドオーバするよう確定することとを含む。
【００４３】
また、マスタ基地局は、前記移動端末の前記マスタ基地局での通信を前記スレーブ基地局にハンドオーバするよう確定した後に、前記移動端末に伝送すべきサービスデータを前記スレーブ基地局に送信し、前記サービスデータを前記スレーブ基地局により前記移動端末に転送することを更に含む。
【００４４】
また、本発明の実施例は、移動端末通信制御方法を提供する。マスタ基地局とスレーブ基地局に同時にアクセスする移動端末は、前記マスタ基地局で無線リンク失敗が生じると、マスタ基地局で前記移動端末の無線リンク失敗が生じたことを示す無線リンク失敗メッセージを前記スレーブ基地局に送信することと、前記マスタ基地局で通信を前記スレーブ基地局にハンドオーバするよう前記移動端末に指示するためのハンドオーバ命令メッセージを前記スレーブ基地局から受信することと、前記マスタ基地局での通信を前記スレーブ基地局にハンドオーバすることとを含む。
【００４５】
また、マスタ基地局とスレーブ基地局に同時にアクセスする移動端末が、前記マスタ基地局での通信を前記スレーブ基地局にハンドオーバすることは、前記マスタ基地局で配置される制御プレーン情報を削除することと、前記マスタ基地局でのデータ通信を前記スレーブ基地局にハンドオーバすることと、前記スレーブ基地局での制御プレーン情報を配置することとを含む。
【００４６】
また、本発明の実施例は、スレーブ基地局に応用する移動端末通信制御装置を提供する。当該移動端末通信制御装置は、マスタ基地局で移動端末の無線リンク失敗が生じたことを示す無線リンク失敗メッセージを前記移動端末から受信するための第１受信ユニットと、前記マスタ基地局で前記移動端末の無線リンク失敗が生じたことを示すリンク失敗指示メッセージを前記マスタ基地局に送信するための第１送信ユニットと、前記マスタ基地局との間の情報のやりとりにより、前記移動端末の前記マスタ基地局での通信を前記スレーブ基地局にハンドオーバするよう確定するための確定ユニットと、前記マスタ基地局での通信を前記スレーブ基地局にハンドオーバするよう前記移動端末に指示するためのハンドオーバ命令メッセージを前記移動端末に送信するための第２送信ユニットとを含む。
【００４７】
また、前記移動端末の前記マスタ基地局での通信を前記スレーブ基地局にハンドオーバするよう要求するためのハンドオーバ要求メッセージを前記マスタ基地局から受信するための第２受信ユニットを更に含む。
前記第１送信ユニットは、ハンドオーバ確認メッセージを前記マスタ基地局に送信する。
前記確定ユニットは、前記第１送信ユニットから前記マスタ基地局にハンドオーバ確認メッセージを送信した後に、前記移動端末の前記マスタ基地局での通信を前記スレーブ基地局にハンドオーバするよう確定する。
【００４８】
また、前記移動端末の前記マスタ基地局での通信を前記スレーブ基地局にハンドオーバするよう前記確定ユニットにより確定した後に、前記移動端末に伝送すべきサービスデータを前記マスタ基地局から受信するための第２受信ユニットを更に含む。
前記第２送信ユニットは、前記サービスデータを前記移動端末に送信する。
【００４９】
また、本発明の実施例は、マスタ基地局に応用する移動端末通信制御装置を提供する。当該移動端末通信制御装置は、前記マスタ基地局で移動端末の無線リンク失敗が生じたことを示すリンク失敗指示メッセージをスレーブ基地局から受信するための受信ユニットと、前記スレーブ基地局との間の情報のやりとりにより、前記移動端末の前記マスタ基地局での通信を前記スレーブ基地局にハンドオーバするよう確定するための確定ユニットと、前記移動端末に対し、コアネットワーク側の移動管理実体からの前記マスタ基地局へのパスを前記スレーブ基地局へのものに変換するよう要求するためのパス変換メッセージを移動管理実体に送信するための第１送信ユニットとを含む。
【００５０】
また、前記移動端末の前記マスタ基地局での通信を前記スレーブ基地局にハンドオーバするよう要求するためのハンドオーバ要求メッセージを前記マスタ基地局に送信するための第２送信ユニットを更に含む。
前記受信ユニットは、前記スレーブ基地局からのハンドオーバ確認メッセージを受信する。
前記確定ユニットは、前記ハンドオーバ確認メッセージに基づき、前記移動端末の前記マスタ基地局での通信を前記スレーブ基地局にハンドオーバするよう確定する。
【００５１】
また、前記移動端末の前記マスタ基地局での通信を前記スレーブ基地局にハンドオーバするよう前記確定ユニットにより確定した後に、前記移動端末に伝送すべきサービスデータを前記マスタ基地局に送信するための第２送信ユニットを更に含む。前記サービスデータは、前記スレーブ基地局により前記移動端末に転送される。
【００５２】
また、本発明の実施例は、マスタ基地局とスレーブ基地局に同時にアクセスする移動端末を提供する。当該移動端末は、前記マスタ基地局で前記移動端末の無線リンク失敗が生じると、マスタ基地局で前記移動端末の無線リンク失敗が生じたことを示す無線リンク失敗メッセージを前記スレーブ基地局に送信するための送信ユニットと、前記マスタ基地局で通信を前記スレーブ基地局にハンドオーバするよう前記移動端末に指示するためのハンドオーバ命令メッセージを前記スレーブ基地局から受信するための受信ユニットと、前記マスタ基地局での通信を前記スレーブ基地局にハンドオーバするためのハンドオーバユニットとを含む。
【００５３】
また、前記ハンドオーバユニットは、前記マスタ基地局で配置される制御プレーン情報を削除し、前記マスタ基地局でのデータ通信を前記スレーブ基地局にハンドオーバし、前記スレーブ基地局での制御プレーン情報を配置する。
【００５４】
本発明の実施例に係る上記技術において、移動端末は、マスタ基地局で無線リンク失敗が生じると、マスタ基地局で無線リンク失敗が生じたことをスレーブ基地局に知らせるための無線リンク失敗メッセージをスレーブ基地局に送信するが、スレーブ基地局は、移動端末からの無線リンク失敗メッセージを受信した後に、マスタ基地局との間の情報のやり取りにより、マスタ基地局でのデータ通信をスレーブ基地局にハンドオーバするよう移動端末を制御する。よって、移動端末は、ハンドオーバの後に、スレーブ基地局のみを介して効果的に通信することができ、引き続きマスタ基地局を介した通信を試みようとして通信に失敗することが回避される。
【００５５】
本発明の実施例は、移動端末通信制御方法を提供する。スレーブ基地局は、マスタ基地局で移動端末の無線リンク失敗が生じたことを示す無線リンク失敗メッセージを前記移動端末から受信することと、前記マスタ基地局で前記移動端末の無線リンク失敗が生じたことを示すリンク失敗指示メッセージを前記マスタ基地局に送信することと、前記マスタ基地局から前記リンク失敗指示メッセージの受信後に返信され、前記移動端末に対する無線配置情報とランダムアクセスリソース情報を受信することと、前記無線配置情報と前記ランダムアクセスリソース情報が付帯されるものであって、前記無線配置情報と前記ランダムアクセスリソース情報を用いて前記マスタ基地局に再アクセスするよう前記移動端末に指示するための再アクセス指示メッセージを前記移動端末に送信することとを含む。
【００５６】
また、スレーブ基地局は、前記再アクセス指示メッセージを前記移動端末に送信した後に、前記マスタ基地局へ前記移動端末の再アクセス成功を示す第１再アクセス成功メッセージを前記移動端末から受信し、及び／又は、前記マスタ基地局へ前記移動端末の再アクセス成功を示す第２再アクセス成功メッセージを前記マスタ基地局から受信することを更に含む。
【００５７】
また、スレーブ基地局は、前記再アクセス指示メッセージを前記移動端末に送信した後に、前記マスタ基地局へ前記移動端末の再アクセス失敗を示す第１再アクセス失敗メッセージを前記移動端末から受信することと、前記マスタ基地局へ前記移動端末の再アクセス失敗を示す第２再アクセス失敗メッセージを前記マスタ基地局に送信することと、前記マスタ基地局との間の情報のやりとりにより、前記移動端末の前記マスタ基地局での通信を前記スレーブ基地局にハンドオーバするよう確定することと、前記マスタ基地局での通信を前記スレーブ基地局にハンドオーバするよう前記移動端末に指示するためのハンドオーバ命令メッセージを前記移動端末に送信することとを含む。
【００５８】
また、スレーブ基地局が、前記マスタ基地局との間の情報のやりとりにより、前記移動端末の前記マスタ基地局での通信を前記スレーブ基地局にハンドオーバするよう確定することは、前記移動端末の前記マスタ基地局での通信を前記スレーブ基地局にハンドオーバするよう要求するためのハンドオーバ要求メッセージを前記マスタ基地局から受信することと、前記移動端末の前記マスタ基地局での通信の前記スレーブ基地局へのハンドオーバ確定を指示するためのハンドオーバ確認メッセージを前記マスタ基地局に送信することとを含む。
【００５９】
また、スレーブ基地局は、前記移動端末の前記マスタ基地局での通信を前記スレーブ基地局にハンドオーバするよう確定した後に、前記移動端末に伝送すべきサービスデータを前記マスタ基地局から受信し、前記サービスデータを前記移動端末に送信することを更に含む。
【００６０】
また、本発明の実施例は、移動端末通信制御方法を提供する。マスタ基地局は、前記マスタ基地局で移動端末の無線リンク失敗が生じたことを示すリンク失敗指示メッセージをスレーブ基地局から受信することと、前記移動端末に対し無線プロトコルレイヤを再配置することと、前記移動端末が前記マスタ基地局に再アクセスするための、前記移動端末に対する無線配置情報とランダムアクセスリソース情報を前記スレーブ基地局に送信することとを含む。
【００６１】
また、マスタ基地局は、前記マスタ基地局へ前記移動端末の再アクセスが成功すると、前記マスタ基地局へ前記移動端末の再アクセス成功を示す第２再アクセス成功メッセージを前記スレーブ基地局に送信することを更に含む。
【００６２】
また、マスタ基地局は、前記マスタ基地局へ前記移動端末の再アクセス失敗を示す第２再アクセス失敗メッセージを前記スレーブ基地局から受信することと、前記第２再アクセス失敗メッセージに基づき、前記マスタ基地局へ前記移動端末の再アクセス失敗を確定することと、前記スレーブ基地局との間の情報のやりとりにより、前記移動端末の前記マスタ基地局での通信を前記スレーブ基地局にハンドオーバするよう確定することと、前記移動端末に対し、コアネットワーク側の移動管理実体からの前記マスタ基地局へのパスを前記スレーブ基地局へのものに変換するよう要求するためのパス変換メッセージを移動管理実体に送信することを更に含む。
【００６３】
また、マスタ基地局が、前記スレーブ基地局との間の情報のやりとりにより、前記移動端末の前記マスタ基地局での通信を前記スレーブ基地局にハンドオーバするよう確定することは、前記移動端末の前記マスタ基地局での通信を前記スレーブ基地局にハンドオーバするよう要求するためのハンドオーバ要求メッセージを前記スレーブ基地局に送信することと、前記スレーブ基地局からのハンドオーバ確認メッセージを受信することと、前記ハンドオーバ確認メッセージに基づき、前記移動端末の前記マスタ基地局での通信を前記スレーブ基地局にハンドオーバするよう確定することを含む。
【００６４】
また、マスタ基地局は、前記移動端末の前記マスタ基地局での通信を前記スレーブ基地局にハンドオーバするよう確定した後に、前記移動端末に伝送すべきサービスデータを前記スレーブ基地局に送信し、前記サービスデータを前記スレーブ基地局により前記移動端末に転送することを更に含む。
【００６５】
また、本発明の実施例は、移動端末通信制御方法を提供する。マスタ基地局とスレーブ基地局に同時にアクセスする移動端末は、前記マスタ基地局で無線リンク失敗が生じると、マスタ基地局で前記移動端末の無線リンク失敗が生じたことを示す無線リンク失敗メッセージを前記スレーブ基地局に送信することと、前記マスタ基地局で前記移動端末の無線リンク失敗が生じたことを示すリンク失敗指示メッセージを前記スレーブ基地局から前記マスタ基地局に送信した後に前記マスタ基地局から前記スレーブ基地局に送信される無線配置情報とランダムアクセスリソース情報が付帯される再アクセス指示メッセージを前記スレーブ基地局から受信することと、前記無線配置情報と前記ランダムアクセスリソース情報を用いて前記マスタ基地局に再アクセスすることとを含む。
【００６６】
また、前記移動端末は、前記マスタ基地局への再アクセスが成功すると、前記マスタ基地局へ前記移動端末の再アクセス成功を示す第１再アクセス成功メッセージを前記スレーブ基地局に送信することと、前記マスタ基地局への再アクセスが失敗すると、前記マスタ基地局へ前記移動端末の再アクセス失敗を示す第１再アクセス失敗メッセージを前記スレーブ基地局に送信することを更に含む。
【００６７】
また、前記移動端末は、前記第１再アクセス失敗メッセージを前記スレーブ基地局に送信した後に、前記マスタ基地局で通信を前記スレーブ基地局にハンドオーバするよう前記移動端末に指示するためのハンドオーバ命令メッセージを前記スレーブ基地局から受信することと、前記マスタ基地局での通信を前記スレーブ基地局にハンドオーバすることを更に含む。
【００６８】
また、前記マスタ基地局での通信を前記スレーブ基地局にハンドオーバすることは、前記マスタ基地局で配置される制御プレーン情報を削除することと、前記マスタ基地局でのデータ通信を前記スレーブ基地局にハンドオーバすることと、前記スレーブ基地局での制御プレーン情報を配置することとを含む。
【００６９】
また、本発明の実施例は、スレーブ基地局に応用する移動端末通信制御装置を提供する。当該移動端末通信制御装置は、マスタ基地局で移動端末の無線リンク失敗が生じたことを示す無線リンク失敗メッセージを前記移動端末から受信するための第１受信ユニットと、前記マスタ基地局で前記移動端末の無線リンク失敗が生じたことを示すリンク失敗指示メッセージを前記マスタ基地局に送信するための第１送信ユニットと、前記マスタ基地局から前記リンク失敗指示メッセージの受信後に返信され、前記移動端末に対する無線配置情報とランダムアクセスリソース情報を受信するための第２受信ユニットと、前記無線配置情報と前記ランダムアクセスリソース情報が付帯されるものであって、前記無線配置情報と前記ランダムアクセスリソース情報を用いて前記マスタ基地局に再アクセスするよう前記移動端末に指示するための再アクセス指示メッセージを前記移動端末に送信するための第２送信ユニットとを含む。
【００７０】
また、前記第１受信ユニットは、前記第２送信ユニットから前記再アクセス指示メッセージを前記移動端末に送信した後に、前記マスタ基地局へ前記移動端末の再アクセス成功を示す第１再アクセス成功メッセージを前記移動端末から受信し、及び／又は、前記第２受信ユニットは、前記第２送信ユニットから前記再アクセス指示メッセージを前記移動端末に送信した後に、前記マスタ基地局へ前記移動端末の再アクセス成功を示す第２再アクセス成功メッセージを前記マスタ基地局から受信する。
【００７１】
また、前記第１受信ユニットは、前記第２送信ユニットから前記再アクセス指示メッセージを前記移動端末に送信した後に、前記マスタ基地局へ前記移動端末の再アクセス失敗を示す第１再アクセス失敗メッセージを前記移動端末から受信する。前記第１送信ユニットは、前記マスタ基地局へ前記移動端末の再アクセス失敗を示す第２再アクセス失敗メッセージを前記マスタ基地局に送信する。
更に、前記マスタ基地局との間の情報のやりとりにより、前記移動端末の前記マスタ基地局での通信を前記スレーブ基地局にハンドオーバするよう確定するための確定ユニットを含む。
前記第２送信ユニットは、前記マスタ基地局での通信を前記スレーブ基地局にハンドオーバするよう前記移動端末に指示するためのハンドオーバ命令メッセージを前記移動端末に送信する。
【００７２】
また、前記第２受信ユニットは、前記移動端末の前記マスタ基地局での通信を前記スレーブ基地局にハンドオーバするよう要求するためのハンドオーバ要求メッセージを前記マスタ基地局から受信する。
前記第１送信ユニットは、ハンドオーバ確認メッセージを前記マスタ基地局に送信する。
前記確定ユニットは、前記第１送信ユニットからハンドオーバ確認メッセージを前記マスタ基地局に送信した後に、前記移動端末の前記マスタ基地局での通信を前記スレーブ基地局にハンドオーバするよう確定する。
【００７３】
また、前記第２受信ユニットは、前記移動端末の前記マスタ基地局での通信を前記スレーブ基地局にハンドオーバするよう前記確定ユニットにより確定した後に、前記移動端末に伝送すべきサービスデータを前記マスタ基地局から受信する。
前記第２送信ユニットは、前記サービスデータを前記移動端末に送信する。
【００７４】
本発明の実施例は、マスタ基地局に応用する移動端末通信制御装置を提供する。当該移動端末通信制御装置は、前記マスタ基地局で移動端末の無線リンク失敗が生じたことを示すリンク失敗指示メッセージをスレーブ基地局から受信するための受信ユニットと、前記移動端末に対し無線プロトコルレイヤを再配置するための配置ユニットと、前記移動端末が前記マスタ基地局に再アクセスするための、前記移動端末に対する無線配置情報とランダムアクセスリソース情報を前記スレーブ基地局に送信するための第１送信ユニットとを含む。
【００７５】
また、前記第１送信ユニットは、前記マスタ基地局へ前記移動端末の再アクセスが成功すると、前記マスタ基地局へ前記移動端末の再アクセス成功を示す第２再アクセス成功メッセージを前記スレーブ基地局に送信する。
【００７６】
また、前記受信ユニットは、前記マスタ基地局へ前記移動端末の再アクセス失敗を示す第２再アクセス失敗メッセージを前記スレーブ基地局から受信する。
さらに、前記第２再アクセス失敗メッセージに基づき、前記マスタ基地局へ前記移動端末の再アクセス失敗を確定するための第１確定ユニットと、前記スレーブ基地局との間の情報のやりとりにより、前記移動端末の前記マスタ基地局での通信を前記スレーブ基地局にハンドオーバするよう確定するための第２確定ユニットと、前記移動端末に対し、コアネットワーク側の移動管理実体からの前記マスタ基地局へのパスを前記スレーブ基地局へのものに変換するよう要求するためのパス変換メッセージを移動管理実体に送信するための第２送信ユニットと含む。
【００７７】
また、前記第１送信ユニットは、前記移動端末の前記マスタ基地局での通信を前記スレーブ基地局にハンドオーバするよう要求するためのハンドオーバ要求メッセージを前記スレーブ基地局に送信する。前記受信ユニットは、前記スレーブ基地局からのハンドオーバ確認メッセージを受信する。前記第２確定ユニットは、前記ハンドオーバ確認メッセージに基づき、前記移動端末の前記マスタ基地局での通信を前記スレーブ基地局にハンドオーバするよう確定する。
【００７８】
また、前記第１送信ユニットは、前記移動端末の前記マスタ基地局での通信を前記スレーブ基地局にハンドオーバするよう前記第２確定ユニットにより確定した後に、前記移動端末に伝送すべきサービスデータを前記スレーブ基地局に送信し、前記サービスデータを前記スレーブ基地局により前記移動端末に転送する。
【００７９】
また、本発明の実施例は、マスタ基地局とスレーブ基地局に同時にアクセスする移動端末を提供する。当該移動端末は、前記マスタ基地局で前記移動端末の無線リンク失敗が生じると、マスタ基地局で前記移動端末の無線リンク失敗が生じたことを示す無線リンク失敗メッセージを前記スレーブ基地局に送信するための送信ユニットと、前記マスタ基地局で前記移動端末の無線リンク失敗が生じたことを示すリンク失敗指示メッセージを前記スレーブ基地局から前記マスタ基地局に送信した後に前記マスタ基地局から前記スレーブ基地局に送信される無線配置情報とランダムアクセスリソース情報が付帯される再アクセス指示メッセージを前記スレーブ基地局から受信するための受信ユニットと、前記無線配置情報と前記ランダムアクセスリソース情報を用いて前記マスタ基地局に再アクセスするためのアクセスユニットとを含む。
【００８０】
また、前記送信ユニットは、前記マスタ基地局へ前記移動端末の再アクセスが成功すると、前記マスタ基地局へ前記移動端末の再アクセス成功を示す第１再アクセス成功メッセージを前記スレーブ基地局に送信し、前記マスタ基地局へ前記移動端末の再アクセスが失敗すると、前記マスタ基地局へ前記移動端末の再アクセス失敗を示す第１再アクセス失敗メッセージを前記スレーブ基地局に送信する。
【００８１】
また、前記受信ユニットは、前記送信ユニットから前記第１再アクセス失敗メッセージを前記スレーブ基地局に送信した後に、前記マスタ基地局で通信を前記スレーブ基地局にハンドオーバするよう前記移動端末に指示するためのハンドオーバ命令メッセージを前記スレーブ基地局から受信する。
更に、前記マスタ基地局での通信を前記スレーブ基地局にハンドオーバするするためのハンドオーバユニットを含む。
【００８２】
また、前記ハンドオーバユニットは、前記マスタ基地局で配置される制御プレーン情報を削除し、前記マスタ基地局でのデータ通信を前記スレーブ基地局にハンドオーバし、前記スレーブ基地局での制御プレーン情報を配置する。
【００８３】
本発明の実施例に係る上記技術によれば、移動端末がマスタ基地局で無線リンク失敗が生じると、まず当該マスタ基地局へ再アクセスするための移動端末制御を試みてもよい。よって、当該移動端末が再びデュアルリンクになり、当該移動端末の良好な通信品質を引き続き保証することができる。
しかも、マスタ基地局への再アクセスが失敗すると、スレーブ基地局は、マスタ基地局との間の情報のやり取りにより、マスタ基地局でのデータ通信をスレーブ基地局にハンドオーバするよう移動端末を制御する。よって、移動端末は、ハンドオーバの後に、スレーブ基地局のみを介して効果的に通信することができ、引き続きマスタ基地局を介した通信を試みようとして通信に失敗することが回避される。
【００８４】
本願のほかの特徴と利点は、後記の明細書で記載されるが、部分的に明細書から自明であり、又は本願を実施することにより理解される。本願の目的とほかの利点は、明細書、特許請求の範囲、及び図面で示されている構造により実現して得ることができる。
【図面の簡単な説明】
【００８５】
図面は、本発明を更に理解するためのものであり、明細書の一部を構成して本発明の実施例とともに本発明の解釈に用いられるが、本発明を限定するものではない。
【００８６】
【図１】本発明の実施例１に係るマスタ基地局に応用する移動端末通信制御方法のフローチャートである。
【図２】本発明の実施例１に係る移動端末に応用する移動端末通信制御方法のフローチャートである。
【図３】本発明の実施例１に係る移動端末通信制御方法の詳細なフローチャートである。
【図４】本発明の実施例１に係るマスタ基地局に応用する移動端末通信制御装置の構造模式図である。
【図５】本発明の実施例１に係る移動端末の構造模式図である。
【図６】本発明の実施例２に係るマスタ基地局に応用する移動端末通信制御方法のフローチャートである。
【図７】本発明の実施例２に係るスレーブ基地局に応用する移動端末通信制御方法のフローチャートである。
【図８】本発明の実施例２に係る移動端末に応用する移動端末通信制御方法のフローチャートである。
【図９】本発明の実施例２に係る移動端末通信制御方法の詳細なフローチャートである。
【図１０】本発明の実施例２に係るマスタ基地局に応用する移動端末通信制御装置の構造模式図である。
【図１１】本発明の実施例２に係るスレーブ基地局に応用する移動端末通信制御装置の構造模式図である。
【図１２】本発明の実施例２に係る移動端末の構造模式図である。
【図１３】本発明の実施例３に係るスレーブ基地局に応用する移動端末通信制御方法のフローチャートである。
【図１４】本発明の実施例３に係るマスタ基地局に応用する移動端末通信制御方法のフローチャートである。
【図１５】本発明の実施例３に係る移動端末に応用する移動端末通信制御方法のフローチャートである。
【図１６】本発明の実施例３に係る移動端末通信制御方法の詳細なフローチャートである。
【図１７】本発明の実施例３に係るスレーブ基地局に応用する移動端末通信制御装置の構造模式図である。
【図１８】本発明の実施例３に係るマスタ基地局に応用する移動端末通信制御装置の構造模式図である。
【図１９】本発明の実施例３に係る移動端末の構造模式図である。
【図２０】本発明の実施例４に係るスレーブ基地局に応用する移動端末通信制御方法のフローチャートである。
【図２１】本発明の実施例４に係るマスタ基地局に応用する移動端末通信制御方法のフローチャートである。
【図２２】本発明の実施例４に係る移動端末に応用する移動端末通信制御方法のフローチャートである。
【図２３】本発明の実施例４に係る移動端末通信制御方法の詳細なフローチャートである。
【図２４】本発明の実施例４に係るスレーブ基地局に応用する移動端末通信制御装置の構造模式図である。
【図２５】本発明の実施例４に係るマスタ基地局に応用する移動端末通信制御装置の構造模式図である。
【図２６】本発明の実施例４に係る移動端末の構造模式図である。
【図２７】本発明の一実施例に係るマスタ基地局に応用する移動端末通信制御方法のフローチャートである。
【図２８】本発明の一実施例に係るスレーブ基地局に応用する移動端末通信制御方法のフローチャートである。
【発明を実施するための形態】
【００８７】
デュアルリンク方式の移動端末がスレーブ基地局又はマスタ基地局で無線リンク失敗となると、移動端末通信を効果的に制御するために、本発明の実施例は、移動端末通信制御方法、装置及び関連設備を提供する。以下、明細書の図面とともに本発明の好適な実施例を説明する。なお、ここで記載する好適な実施例は、本発明を説明して解釈するためのものに過ぎず、本発明を限定するためのものではない。抵触しない限り、本願の実施例及び実施例における構成は、互いに組み合わせることができる。
実施例１
【００８８】
本発明の実施例１に係るマスタ基地局に応用する移動端末通信制御方法は、図１に示すように、ステップ１０１とステップ１０２を含む。
ステップ１０１において、マスタ基地局は、スレーブ基地局で移動端末の無線リンク失敗が生じたことを示す無線リンク失敗メッセージを当該移動端末から受信する。
ステップ１０２において、マスタ基地局は、第１非アクティブ指示メッセージを当該移動端末に送信する。前記第１非アクティブ指示メッセージは、スレーブ基地局の非アクティブを当該移動端末に指示するためのものである。
【００８９】
また、図１に示す方法において、マスタ基地局は、移動端末からの無線リンク失敗メッセージを受信した後に、第２非アクティブ指示メッセージをスレーブ基地局に送信してもよい。前記第２非アクティブ指示メッセージは、移動端末の非アクティブをスレーブ基地局に指示するためのものである。
【００９０】
本発明の実施例１に係る移動端末に応用する移動端末通信制御方法は、図２に示すように、ステップ２０１〜ステップ２０３を含む。
ステップ２０１において、マスタ基地局とスレーブ基地局に同時にアクセスする移動端末は、スレーブ基地局で無線リンク失敗が生じると、スレーブ基地局で当該移動端末の無線リンク失敗が生じたことを示す無線リンク失敗メッセージをマスタ基地局に送信する。
ステップ２０２において、移動端末は、マスタ基地局からの第１非アクティブ指示メッセージを受信する。
ステップ２０３において、移動端末は、スレーブ基地局に対し非アクティブ処理を行う。
【００９１】
以下、図面とともに、本発明の実施例１に係る上記技術を、具体的な実施例により詳細に記載する。
【００９２】
図３は、本発明の実施例１に係る移動端末通信制御方法の詳細なフローチャートであり、ステップ３０１〜ステップ３０６を含む。
ステップ３０１において、デュアルリンクの移動端末、即ちマスタ基地局とスレーブ基地局に同時にアクセスする移動端末は、スレーブ基地局で無線リンク失敗が生じると、無線リンク失敗メッセージをマスタ基地局に送信する。当該無線リンク失敗メッセージは、スレーブ基地局で当該移動端末の無線リンク失敗が生じたことを示すものである。
ここで、当該移動端末のアクセス中のスレーブ基地局がマスタ基地局に把握されない場合に、当該スレーブ基地局の基地局ＩＤが当該無線リンク失敗メッセージに付帯されてもよい。
当該無線リンク失敗メッセージは、無線リソース制御プロトコルＲＲＣ（Ｒａｄｉｏ  Ｒｒｓｏｕｒｃｅ  Ｃｏｎｔｒｏｌ）メッセージであってもよい。
ステップ３０２において、マスタ基地局は、移動端末からの当該無線リンク失敗メッセージの受信に基づき、当該スレーブ基地局で移動端末の無線リンク失敗が生じたことを確定する。
ステップ３０３において、マスタ基地局は、第１非アクティブ指示メッセージを当該移動端末に送信する。前記第１非アクティブ指示メッセージは、スレーブ基地局の非アクティブを当該移動端末に指示するためのものである。
当該第１非アクティブ指示メッセージは、ＲＲＣメッセージであってもよい。
ステップ３０４において、マスタ基地局は、第２非アクティブ指示メッセージをスレーブ基地局に送信してもよい。前記第２非アクティブ指示メッセージは、移動端末の非アクティブをスレーブ基地局に指示するためのものである。
当該第２非アクティブ指示メッセージには、当該移動端末の端末ＩＤが付帯されてもよい。
ステップ３０５において、移動端末は、第１非アクティブ指示メッセージを受信した後に、スレーブ基地局に対し非アクティブ処理を行う。
本ステップにおいて、移動端末がスレーブ基地局に対し非アクティブ処理を行う具体的な方式は、従来技術の各種方式を採用することができ、ここでは詳細に記載しない。
ステップ３０６において、スレーブ基地局は、第２非アクティブ指示メッセージを受信した後に、当該移動端末に対し非アクティブ処理を行う。
本ステップにおいて、スレーブ基地局が当該移動端末に対し非アクティブ処理を行う具体的な方式は、従来技術の各種方式を採用することができ、ここでは詳細に記載しない。
【００９３】
本発明の実施例１に係る上記移動端末通信制御方法によれば、移動端末は、スレーブ基地局で無線リンク失敗が生じると、スレーブ基地局で無線リンク失敗が生じたことをマスタ基地局に知らせるための無線リンク失敗メッセージをマスタ基地局に送信するが、マスタ基地局は、スレーブ基地局での移動端末の無線リンク失敗を確定した後に、スレーブ基地局の非アクティブを移動端末に指示するための第１非アクティブ指示メッセージを移動端末に送信する。よって、移動端末は、スレーブ基地局の非アクティブの後に、マスタ基地局のみを介して効果的に通信することができ、引き続きスレーブ基地局を介した通信を試みようとして通信に失敗することが回避される。
【００９４】
本発明の上記実施例１に係る移動端末通信制御方法に基づき、本発明の実施例１は、マスタ基地局に応用する移動端末通信制御装置を更に提供し、その構造が図４に模式的に示され、受信ユニット４０１と送信ユニット４０２を含む。
前記受信ユニット４０１は、スレーブ基地局で移動端末の無線リンク失敗が生じたことを示す無線リンク失敗メッセージを前記移動端末から受信する。
前記送信ユニット４０２は、前記スレーブ基地局の非アクティブを前記移動端末に指示するための第１非アクティブ指示メッセージを前記移動端末に送信する。
【００９５】
また、前記送信ユニット４０２は、前記受信ユニット４０１が前記無線リンク失敗メッセージを受信した後に、第２非アクティブ指示メッセージを前記スレーブ基地局に送信する。前記第２非アクティブ指示メッセージは、前記移動端末の非アクティブを前記スレーブ基地局に指示するためのものである。
【００９６】
上記各ユニットの機能は、図１〜図３に示すフローの対応処理工程に対応してもよく、ここでは繰り返して記載しない。
【００９７】
本発明の上記実施例１に係る移動端末通信制御方法に基づき、本発明の実施例１は、マスタ基地局とスレーブ基地局に同時にアクセスする移動端末を更に提供し、その構造が図５に模式的に示され、送信ユニット５０１と受信ユニット５０２と非アクティブユニット５０３とを含む。
前記送信ユニット５０１は、前記スレーブ基地局で前記移動端末の無線リンク失敗が生じると、スレーブ基地局で前記移動端末の無線リンク失敗が生じたことを示す無線リンク失敗メッセージを前記マスタ基地局に送信する。
前記受信ユニット５０２は、前記マスタ基地局からの第１非アクティブ指示メッセージを受信する。
前記非アクティブユニット５０３は、前記スレーブ基地局に対し非アクティブ処理を行う。
【００９８】
上記各ユニットの機能は、図１〜図３に示すフローの対応処理工程に対応してもよく、ここでは繰り返して記載しない。
【００９９】
以上の記載をまとめると、本発明の実施例に係る技術は、マスタ基地局が、スレーブ基地局で移動端末の無線リンク失敗が生じたことを示す無線リンク失敗メッセージを当該移動端末から受信することと、スレーブ基地局の非アクティブを当該移動端末に指示するための第１非アクティブ指示メッセージを当該移動端末に送信することを含む。本発明の実施例に係る技術によれば、デュアルリンク方式の移動端末がスレーブ基地局で無線リンク失敗となると、移動端末通信を効果的に制御することができる。
実施例２
【０１００】
本発明の実施例２に係るマスタ基地局に応用する移動端末通信制御方法は、図６に示すように、ステップ６０１〜ステップ６０４を含む。
ステップ６０１において、マスタ基地局は、スレーブ基地局で移動端末の無線リンク失敗が生じたことを示す無線リンク失敗メッセージを当該移動端末から受信する。
ステップ６０２において、マスタ基地局は、スレーブ基地局で当該移動端末の無線リンク失敗が生じたことを示すリンク失敗指示メッセージをスレーブ基地局に送信する。
ステップ６０３において、マスタ基地局は、スレーブ基地局からリンク失敗指示メッセージの受信後に返信され、当該移動端末に対する無線配置情報とランダムアクセスリソース情報を受信する。
ステップ６０４において、マスタ基地局は、当該無線配置情報と当該ランダムアクセスリソース情報が付帯される再アクセス指示メッセージを当該移動端末に送信する。前記再アクセス指示メッセージは、当該無線配置情報と当該ランダムアクセスリソース情報を用いてスレーブ基地局に再アクセスするよう当該移動端末に指示するためのものである。
【０１０１】
本発明の実施例２に係るスレーブ基地局に応用する移動端末通信制御方法は、図７に示すように、ステップ７０１〜ステップ７０３を含む。
ステップ７０１において、スレーブ基地局は、スレーブ基地局で移動端末の無線リンク失敗が生じたことを示すリンク失敗指示メッセージをマスタ基地局から受信する。
ステップ７０２において、スレーブ基地局は、当該移動端末に対し無線プロトコルレイヤを再配置する。
ステップ７０３において、スレーブ基地局は、当該移動端末がスレーブ基地局に再アクセスするための、当該移動端末に対する無線配置情報とランダムアクセスリソース情報をマスタ基地局に送信する。
【０１０２】
本発明の実施例２に係る移動端末に応用する移動端末通信制御方法は、図８に示すように、ステップ８０１〜ステップ８０３を含む。
ステップ８０１において、マスタ基地局とスレーブ基地局に同時にアクセスする移動端末は、スレーブ基地局で無線リンク失敗が生じると、スレーブ基地局で当該移動端末の無線リンク失敗が生じたことを示す無線リンク失敗メッセージをマスタ基地局に送信する。
ステップ８０２において、移動端末は、無線配置情報とランダムアクセスリソース情報が付帯される再アクセス指示メッセージをマスタ基地局から受信する。当該無線配置情報とランダムアクセスリソース情報は、スレーブ基地局で当該移動端末の無線リンク失敗が生じたことを示すリンク失敗指示メッセージをマスタ基地局からスレーブ基地局に送信した後にスレーブ基地局からマスタ基地局に送信されるものである。
ステップ８０３において、移動端末は、当該無線配置情報と当該ランダムアクセスリソース情報を用いてスレーブ基地局に再アクセスする。
【０１０３】
本発明の実施例２に係る上記図６〜図８に示す移動端末通信制御方法によれば、移動端末がスレーブ基地局で無線リンク失敗が生じると、まず当該スレーブ基地局に再アクセスするための移動端末制御を試みてもよい。よって、当該移動端末が再度デュアルリンクになり、当該移動端末の良好な通信品質を引き続き保証することができる。
【０１０４】
以下、図面とともに、本発明の実施例２に係る上記技術を、具体的な実施例により詳細に記載する。
【０１０５】
図９は、本発明の実施例２に係る移動端末通信制御方法の詳細なフローチャートであり、ステップ９０１〜ステップ９１５を含む。
ステップ９０１において、デュアルリンクの移動端末、即ちマスタ基地局とスレーブ基地局に同時にアクセスする移動端末は、スレーブ基地局で無線リンク失敗が生じると、無線リンク失敗メッセージをマスタ基地局に送信する。当該無線リンク失敗メッセージは、スレーブ基地局で当該移動端末の無線リンク失敗が生じたことを示すものである。
ここで、当該移動端末のアクセス中のスレーブ基地局がマスタ基地局に把握されない場合、当該スレーブ基地局の基地局ＩＤが当該無線リンク失敗メッセージに付帯されてもよい。
当該無線リンク失敗メッセージは、ＲＲＣメッセージであってもよい。
ステップ９０２において、マスタ基地局は、当該無線リンク失敗メッセージに基づき、当該スレーブ基地局で移動端末の無線リンク失敗が生じたことを確定する。
ステップ９０３において、マスタ基地局は、スレーブ基地局で当該移動端末の無線リンク失敗が生じたことを示すリンク失敗指示メッセージをスレーブ基地局に送信する。
ステップ９０４において、スレーブ基地局は、マスタ基地局からの当該リンク失敗指示メッセージを受信した後に、当該リンク失敗指示メッセージに基づき、スレーブ基地局で当該移動端末の無線リンク失敗が生じたことを確定する。
ステップ９０５において、スレーブ基地局は、当該移動端末に対し無線プロトコルレイヤを再配置する。
本ステップにおいて、再配置する無線プロトコルレイヤは、ＰＤＣＰ（Ｐａｃｋｅｔ  Ｄａｔａ  Ｃｏｎｖｅｒｇｅｎｃｅ  Ｐｒｏｔｏｃｏｌ）レイヤ、ＲＬＣ（Ｒａｄｉｏ  Ｌｉｎｋ  Ｃｏｎｔｒｏｌ）レイヤ、ＭＡＣ（Ｍｅｄｉａ  Ａｃｃｅｓｓ  Ｃｏｎｔｒｏｌ）レイヤ、ＰＨＹ（Ｐｈｙｓｉｃａｌ  Ｌａｙｅｒ）を含んでもよい。
また、無線プロトコルレイヤは、初期配置に再配置してもよく、必要に応じて所望の配置に再配置してもよいが、当該移動端末が再配置に基づき再アクセスできればよい。再配置の具体的な方式は、従来技術の各種方式を採用することができ、ここでは詳細に記載しない。
ステップ９０６において、スレーブ基地局は、当該移動端末に対し無線プロトコルレイヤを再配置した後に、当該移動端末に対する無線配置情報とランダムアクセスリソース情報をマスタ基地局に送信する。
ここで、当該無線配置情報とランダムアクセスリソース情報は、スレーブ基地局の現在の実際状況に応じて、所定のメカニズムにより当該移動端末に割り当てもよいが、当該移動端末が前記無線配置情報とランダムアクセスリソース情報に基づき再アクセスできればよく、ここでは詳細に記載しない。
ステップ９０７において、マスタ基地局は、前記無線配置情報とランダムアクセスリソース情報を受信した後に、当該無線配置情報と当該ランダムアクセスリソース情報が付帯される再アクセス指示メッセージを当該移動端末に送信する。
また、当該再アクセス指示メッセージには、所定のアクセス回数が付帯されてもよい。
当該再アクセス指示メッセージは、ＲＲＣメッセージであってもよい。
ステップ９０８において、当該移動端末は、当該再アクセス指示メッセージを受信した後に、当該無線配置情報と当該ランダムアクセスリソース情報を取得し、当該無線配置情報と当該ランダムアクセスリソース情報で示されるランダムアクセスリソースを使用してスレーブ基地局に再アクセスする。スレーブ基地局に再アクセスする結果は、再アクセス成功と再アクセス失敗を含む。
また、当該再アクセス指示メッセージに所定のアクセス回数も付帯される場合に、スレーブ基地局に再アクセスする過程で、アクセス失敗が生じると、引き続きアクセスするが、アクセス回数が当該所定のアクセス回数になっても相変わらずアクセス失敗であると、スレーブ基地局への再アクセス失敗を確定する。
ステップ９０９において、当該移動端末は、スレーブ基地局へ再アクセス成功すると、スレーブ基地局へ当該移動端末の再アクセス成功を示す第１再アクセス成功メッセージをマスタ基地局に送信する。
当該第１再アクセス成功メッセージは、ＲＲＣメッセージであってもよい。
ステップ９１０において、スレーブ基地局は、スレーブ基地局へ当該移動端末の再アクセスが成功すると、スレーブ基地局へ当該移動端末の再アクセス成功を示す第２再アクセス成功メッセージをマスタ基地局に送信する。
当該移動端末は、スレーブ基地局への再アクセスが成功すると、デュアルリンクに復帰し、即ち引き続きマスタ基地局とスレーブ基地局により同時に通信することができる。スレーブ基地局への当該移動端末の再アクセスが失敗すると、例えば図９の点線ブロックに示されるステップ９１１〜ステップ９１５の処理フローに進んでもよい。
ステップ９１１において、当該移動端末は、スレーブ基地局への再アクセスが失敗すると、スレーブ基地局へ当該移動端末の再アクセス失敗を示す再アクセス失敗メッセージをマスタ基地局に送信する。
当該再アクセス失敗メッセージは、ＲＲＣメッセージであってもよい。
ステップ９１２において、マスタ基地局は、当該移動端末からの当該再アクセス失敗メッセージを受信した後に、スレーブ基地局の非アクティブを当該移動端末に指示するための第１非アクティブ指示メッセージを当該移動端末に送信する。
当該第１非アクティブ指示メッセージは、ＲＲＣメッセージであってもよい。
ステップ９１３において、マスタ基地局は、当該再アクセス失敗メッセージを受信した後に、移動端末の非アクティブをスレーブ基地局に指示するための第２非アクティブ指示メッセージをスレーブ基地局に送信してもよい。
当該第２非アクティブ指示メッセージには、当該移動端末の端末ＩＤが付帯されてもよい。
ステップ９１４において、移動端末は、第１非アクティブ指示メッセージを受信した後に、スレーブ基地局に対し非アクティブ処理を行う。
本ステップにおいて、移動端末がスレーブ基地局に対し非アクティブ処理を行う具体的な方式は、従来技術の各種方式を採用することができ、ここでは詳細に記載しない。
ステップ９１５において、スレーブ基地局は、第２非アクティブ指示メッセージを受信した後に、当該移動端末に対し非アクティブ処理を行う。
本ステップにおいて、スレーブ基地局が当該移動端末に対し非アクティブ処理を行う具体的な方式は、従来技術の各種方式を採用することができ、ここでは詳細に記載しない。
【０１０６】
本発明の実施例２に係る上記移動端末通信制御方法によれば、移動端末がスレーブ基地局で無線リンク失敗が生じると、まず当該スレーブ基地局に再アクセスするための移動端末制御を試みてもよい。よって、当該移動端末が再度デュアルリンクになり、当該移動端末の良好な通信品質を引き続き保証することができる。
スレーブ基地局への再アクセスが失敗すると、マスタ基地局は、スレーブ基地局の非アクティブを移動端末に指示するための第１非アクティブ指示メッセージを移動端末に送信してもよい。よって、移動端末は、スレーブ基地局に対し非アクティブを行った後に、マスタ基地局のみを介して効果的に通信することができ、引き続きスレーブ基地局を介した通信を試みようとして通信に失敗することが回避される。
【０１０７】
本発明の上記実施例２に係る移動端末通信制御方法に基づき、本発明の実施例２は、マスタ基地局に応用する移動端末通信制御装置を更に提供し、その構造が図１０に模式的に示され、第１受信ユニット１００１と第１送信ユニット１００２と第２受信ユニット１００３と第２送信ユニット１００４とを含む。
前記第１受信ユニット１００１は、スレーブ基地局で移動端末の無線リンク失敗が生じたことを示す無線リンク失敗メッセージを前記移動端末から受信する。
前記第１送信ユニット１００２は、前記スレーブ基地局で前記移動端末の無線リンク失敗が生じたことを示すリンク失敗指示メッセージを前記スレーブ基地局に送信する。
前記第２受信ユニット１００３は、前記スレーブ基地局から前記リンク失敗指示メッセージの受信後に返信され、前記移動端末に対する無線配置情報とランダムアクセスリソース情報を受信する。
前記第２送信ユニット１００４は、前記無線配置情報と前記ランダムアクセスリソース情報が付帯されるものであって、前記無線配置情報と前記ランダムアクセスリソース情報を用いて前記スレーブ基地局に再アクセスするよう前記移動端末に指示するための再アクセス指示メッセージを前記移動端末に送信する。
【０１０８】
また、前記第１受信ユニット１００１は、前記第２送信ユニット１００４から前記移動端末に前記再アクセス指示メッセージを送信した後に、前記スレーブ基地局へ前記移動端末の再アクセス成功を示す第１再アクセス成功メッセージを前記移動端末から受信する。前記第２受信ユニット１００３は、前記第２送信ユニット１００４から前記移動端末に前記再アクセス指示メッセージを送信した後に、前記スレーブ基地局へ前記移動端末の再アクセス成功を示す第２再アクセス成功メッセージを前記スレーブ基地局から受信する。
【０１０９】
また、前記第１受信ユニット１００１は、前記第２送信ユニット１００４から前記移動端末に前記再アクセス指示メッセージを送信した後に、前記スレーブ基地局へ前記移動端末の再アクセス失敗を示す再アクセス失敗メッセージを前記移動端末から受信する。
【０１１０】
前記第２送信ユニット１００４は、前記スレーブ基地局の非アクティブを前記移動端末に指示するための第１非アクティブ指示メッセージを前記移動端末に送信する。
【０１１１】
また、前記第１送信ユニット１００２は、前記第１受信ユニット１００１が前記移動端末から返信される前記再アクセス失敗メッセージを受信した後に、前記移動端末の非アクティブを前記スレーブ基地局に指示するための第２非アクティブ指示メッセージを前記スレーブ基地局に送信する。
【０１１２】
上記各ユニットの機能は、図６〜図９に示すフローの対応処理工程に対応してもよく、ここでは繰り返して記載しない。
【０１１３】
本発明の上記実施例２に係る移動端末通信制御方法に基づき、本発明の実施例２は、スレーブ基地局に応用する移動端末通信制御装置を更に提供し、その構造が図１１に模式的に示され、受信ユニット１１０１と配置ユニット１１０２と送信ユニット１１０３とを含む。
前記受信ユニット１１０１は、前記スレーブ基地局で移動端末の無線リンク失敗が生じたことを示すリンク失敗指示メッセージをマスタ基地局から受信する。
前記配置ユニット１１０２は、前記移動端末に対し無線プロトコルレイヤを再配置する。
前記送信ユニット１１０３は、前記移動端末が前記スレーブ基地局に再アクセスするための、前記移動端末に対する無線配置情報とランダムアクセスリソース情報を前記マスタ基地局に送信する。
【０１１４】
また、前記送信ユニット１１０３は、前記スレーブ基地局へ前記移動端末の再アクセスが成功すると、前記スレーブ基地局へ前記移動端末の再アクセス成功を示す第２再アクセス成功メッセージを前記マスタ基地局に送信する。
【０１１５】
また、前記受信ユニット１１０１は、前記マスタ基地局からの第２非アクティブ指示メッセージを受信する。前記第２非アクティブ指示メッセージは、前記スレーブ基地局へ前記移動端末の再アクセス失敗を示す再アクセス失敗メッセージが前記移動端末から前記マスタ基地局に受信された後に、前記マスタ基地局から送信されるものである。
【０１１６】
前記移動端末通信制御装置は、前記移動端末に対し非アクティブを行う非アクティブユニット１１０４を更に含む。
【０１１７】
上記各ユニットの機能は、図６〜図９に示すフローの対応処理工程に対応してもよく、ここでは繰り返して記載しない。
【０１１８】
本発明の上記実施例２に係る移動端末通信制御方法に基づき、本発明の実施例２は、マスタ基地局とスレーブ基地局に同時にアクセスする移動端末を更に提供し、その構造が図１２に模式的に示され、送信ユニット１２０１と受信ユニット１２０２とアクセスユニット１２０３とを含む。
前記送信ユニット１２０１は、前記スレーブ基地局で前記移動端末の無線リンク失敗が生じると、スレーブ基地局で前記移動端末の無線リンク失敗が生じたことを示す無線リンク失敗メッセージを前記マスタ基地局に送信する。
前記受信ユニット１２０２は、前記スレーブ基地局で前記移動端末の無線リンク失敗が生じたことを示すリンク失敗指示メッセージを前記マスタ基地局から前記スレーブ基地局に送信した後に前記スレーブ基地局から前記マスタ基地局に送信される無線配置情報とランダムアクセスリソース情報が付帯される再アクセス指示メッセージを前記マスタ基地局から受信する。
前記アクセスユニット１２０３は、前記無線配置情報と前記ランダムアクセスリソース情報を用いて前記スレーブ基地局に再アクセスする。
【０１１９】
また、前記送信ユニット１２０１は、前記スレーブ基地局へ前記移動端末の再アクセスが成功すると、前記スレーブ基地局へ前記移動端末の再アクセス成功を示す第１再アクセス成功メッセージを前記マスタ基地局に送信する。前記スレーブ基地局へ前記移動端末の再アクセスが失敗すると、前記スレーブ基地局へ前記移動端末の再アクセス失敗を示す再アクセス失敗メッセージを前記マスタ基地局に送信する。
【０１２０】
また、前記アクセスユニット１２０３は、前記送信ユニット１２０１が前記マスタ基地局に前記再アクセス失敗メッセージを送信した後に、前記マスタ基地局からの第１非アクティブ指示メッセージを受信する。
【０１２１】
前記移動端末は、前記スレーブ基地局に対し非アクティブを行う非アクティブユニット１２０４を更に含む。
【０１２２】
上記各ユニットの機能は、図６〜図９に示すフローの対応処理工程に対応してもよく、ここでは繰り返して記載しない。
【０１２３】
以上の記載をまとめると、本発明の実施例に係る技術は、マスタ基地局が、スレーブ基地局で移動端末の無線リンク失敗が生じたことを示す無線リンク失敗メッセージを移動端末から受信することと、スレーブ基地局で当該移動端末の無線リンク失敗が生じたことを示すリンク失敗指示メッセージをスレーブ基地局に送信することと、スレーブ基地局からリンク失敗指示メッセージの受信後に返信され、当該移動端末に対する無線配置情報とランダムアクセスリソース情報を受信することと、当該無線配置情報と当該ランダムアクセスリソース情報が付帯されるものであって、当該無線配置情報と当該ランダムアクセスリソース情報を用いてスレーブ基地局に再アクセスするよう当該移動端末に指示するための再アクセス指示メッセージを当該移動端末に送信することを含む。本発明の実施例に係る技術によれば、デュアルリンク方式の移動端末がスレーブ基地局で無線リンク失敗となると、移動端末通信を効果的に制御することができる。
実施例３
【０１２４】
本発明の実施例３に係るスレーブ基地局に応用する移動端末通信制御方法は、図１３に示すように、ステップ１３０１〜ステップ１３０４を含む。
ステップ１３０１において、スレーブ基地局は、マスタ基地局で移動端末の無線リンク失敗が生じたことを示す無線リンク失敗メッセージを当該移動端末から受信する。
ステップ１３０２において、スレーブ基地局は、マスタ基地局で当該移動端末の無線リンク失敗が生じたことを示すリンク失敗指示メッセージをマスタ基地局に送信する。
ステップ１３０３において、スレーブ基地局は、マスタ基地局との間の情報のやりとりにより、当該移動端末のマスタ基地局での通信をスレーブ基地局にハンドオーバするよう確定する。
ステップ１３０４において、スレーブ基地局は、マスタ基地局での通信をスレーブ基地局にハンドオーバするよう当該移動端末に指示するためのハンドオーバ命令メッセージを当該移動端末に送信する。
【０１２５】
本発明の実施例３に係るマスタ基地局に応用する移動端末通信制御方法は、図１４に示すように、ステップ１４０１〜ステップ１４０３を含む。
ステップ１４０１において、マスタ基地局は、マスタ基地局で移動端末の無線リンク失敗が生じたことを示すリンク失敗指示メッセージをスレーブ基地局から受信する。
ステップ１４０２において、マスタ基地局は、スレーブ基地局との間の情報のやりとりにより、当該移動端末のマスタ基地局での通信をスレーブ基地局にハンドオーバするよう確定する。
ステップ１４０３において、マスタ基地局は、当該移動端末に対し、コアネットワーク側の移動管理実体ＭＭＥ（Ｍｏｂｉｌｅ  Ｍａｎａｇｅｍｅｎｔ  Ｅｎｔｉｔｙ）からのマスタ基地局へのパスをスレーブ基地局へのものに変換するよう要求するためのパス変換メッセージを移動管理実体に送信する。
【０１２６】
本発明の実施例３に係る移動端末に応用する移動端末通信制御方法は、図１５に示すように、ステップ１５０１〜ステップ１５０３を含む。
ステップ１５０１において、マスタ基地局とスレーブ基地局に同時にアクセスする移動端末は、マスタ基地局で無線リンク失敗が生じると、マスタ基地局で当該移動端末の無線リンク失敗が生じたことを示す無線リンク失敗メッセージをスレーブ基地局に送信する。
ステップ１５０２において、移動端末は、マスタ基地局で通信をスレーブ基地局にハンドオーバするよう当該移動端末に指示するためのハンドオーバ命令メッセージをスレーブ基地局から受信する。
ステップ１５０３において、移動端末は、マスタ基地局での通信をスレーブ基地局にハンドオーバする。
【０１２７】
以下、図面とともに、本発明の実施例３に係る上記技術を、具体的な実施例により詳細に記載する。
【０１２８】
図１６は、本発明の実施例３に係る移動端末通信制御方法の詳細なフローであり、ステップ１６０１〜図１６０９を含む。
ステップ１６０１において、デュアルリンクの移動端末、即ちマスタ基地局とスレーブ基地局に同時にアクセスする移動端末は、マスタ基地局で無線リンク失敗が生じると、無線リンク失敗メッセージをスレーブ基地局に送信する。当該無線リンク失敗メッセージは、マスタ基地局で当該移動端末の無線リンク失敗が生じたことを示すものである。
当該無線リンク失敗メッセージは、ＲＲＣメッセージであってもよい。
ステップ１６０２において、スレーブ基地局は、当該無線リンク失敗メッセージを受信した後に、当該無線リンク失敗メッセージに基づき、当該マスタ基地局で移動端末の無線リンク失敗が生じたことを確定する。
ステップ１６０３において、スレーブ基地局は、マスタ基地局で当該移動端末の無線リンク失敗が生じたことを示すリンク失敗指示メッセージをマスタ基地局に送信する。
ステップ１６０４において、マスタ基地局は、当該リンク失敗指示メッセージを受信した後に、当該リンク失敗指示メッセージに基づき、マスタ基地局で当該移動端末の無線リンク失敗が生じたことを確定する。
ステップ１６０５において、マスタ基地局は、移動端末のマスタ基地局での通信をスレーブ基地局にハンドオーバするよう要求するためのハンドオーバ要求メッセージをスレーブ基地局に送信する。
ステップ１６０６において、スレーブ基地局は、マスタ基地局からの当該ハンドオーバ要求メッセージを受信した後に、当該移動端末のマスタ基地局での通信のスレーブ基地局へのハンドオーバ確定を指示するためのハンドオーバ確認メッセージをマスタ基地局に送信する。
ステップ１６０７において、マスタ基地局は、スレーブ基地局からの当該ハンドオーバ確認メッセージを受信した後に、当該移動端末のマスタ基地局での通信のスレーブ基地局へにハンドオーバするよう確定し、当該移動端末に対し、コアネットワーク側の移動管理実体からのマスタ基地局へのパスをスレーブ基地局へのものに変換するよう要求するためのパス変換メッセージ（Ｐａｔｈ  Ｓｗｉｔｃｈ）を移動管理実体に送信する。即ち、当該移動端末に対し、移動管理実体とマスタ基地局との間の情報をやりとりを、移動管理実体とスレーブ基地局との間で行うように変換する。
ステップ１６０８において、スレーブ基地局は、当該移動端末のマスタ基地局での通信のスレーブ基地局にハンドオーバするよう確定した後に、マスタ基地局での通信をスレーブ基地局にハンドオーバするよう当該移動端末に指示するためのハンドオーバ命令メッセージを当該移動端末に送信する。
当該ハンドオーバ命令メッセージには、再配置情報が付帯されてもよい。
当該ハンドオーバ命令メッセージは、ＲＲＣメッセージであってもよい。
ステップ１６０９において、当該移動端末は、前記ハンドオーバ命令メッセージを受信した後に、マスタ基地局での通信をスレーブ基地局にハンドオーバする。
本ステップにおいて、まず、マスタ基地局で配置される制御プレーン情報を削除し、それから、マスタ基地局でのデータ通信をスレーブ基地局にハンドオーバし、スレーブ基地局での制御プレーン情報を配置してもよい。
また、当該ハンドオーバ命令メッセージに再配置情報が付帯される場合に、当該再配置情報に基づき、スレーブ基地局での制御プレーン情報を配置してもよい。
【０１２９】
本発明の実施例３に係る上記図１６の方法において、マスタ基地局は、移動端末のマスタ基地局での通信をスレーブ基地局にハンドオーバするよう確定した後に、現在移動端末に伝送すべきサービスデータが存在する場合に、移動端末に伝送すべき当該サービスデータをスレーブ基地局に送信してもよい。スレーブ基地局は、マスタ基地局からの当該サービスデータを受信した後に、当該サービスデータを移動端末に送信し、移動端末の通信中のサービスデータ紛失を回避することができる。
【０１３０】
本発明の実施例３に係る上記移動端末通信制御方法は、移動端末がマスタ基地局で無線リンク失敗が生じると、マスタ基地局で無線リンク失敗が生じたことをスレーブ基地局に知らせるための無線リンク失敗メッセージをスレーブ基地局に送信するが、スレーブ基地局は、前記無線リンク失敗メッセージを受信した後に、マスタ基地局との間の情報のやり取りにより、移動端末のマスタ基地局での通信をスレーブ基地局にハンドオーバするよう制御する。よって、移動端末は、ハンドオーバの後に、スレーブ基地局のみを介して効果的に通信することができ、引き続きマスタ基地局を介した通信を試みようとして通信に失敗することが回避される。
【０１３１】
本発明の上記実施例３に係る移動端末通信制御方法に基づき、本発明の実施例３は、スレーブ基地局に応用する移動端末通信制御装置を更に提供し、その構造が図１７に模式的に示され、第１受信ユニット１７０１と第１送信ユニット１７０２と確定ユニット１７０３と第２送信ユニット１７０４とを含む。
前記第１受信ユニット１７０１は、マスタ基地局で移動端末の無線リンク失敗が生じたことを示す無線リンク失敗メッセージを前記移動端末から受信する。
前記第１送信ユニット１７０２は、前記マスタ基地局で前記移動端末の無線リンク失敗が生じたことを示すリンク失敗指示メッセージを前記マスタ基地局に送信する。
前記確定ユニット１７０３は、前記マスタ基地局との間の情報のやりとりにより、前記移動端末の前記マスタ基地局での通信を前記スレーブ基地局にハンドオーバするよう確定する。
前記第２送信ユニット１７０４は、前記マスタ基地局での通信を前記スレーブ基地局にハンドオーバするよう前記移動端末に指示するためのハンドオーバ命令メッセージを前記移動端末に送信する。
【０１３２】
また、前記移動端末通信制御装置は、前記移動端末の前記マスタ基地局での通信を前記スレーブ基地局にハンドオーバするよう要求するためのハンドオーバ要求メッセージを前記マスタ基地局から受信するための第２受信ユニット１７０５を更に含む。
【０１３３】
前記第１送信ユニット１７０２は、前記マスタ基地局にハンドオーバ確認メッセージを送信する。
【０１３４】
前記確定ユニット１７０３は、前記第１送信ユニットから前記マスタ基地局にハンドオーバ確認メッセージを送信した後に、前記移動端末の前記マスタ基地局での通信を前記スレーブ基地局にハンドオーバするよう確定する。
【０１３５】
また、前記第２受信ユニット１７０５は、前記移動端末の前記マスタ基地局での通信を前記スレーブ基地局にハンドオーバするよう前記確定ユニットにより確定した後に、前記マスタ基地局からの前記移動端末に伝送すべきサービスデータを受信する。前記第２送信ユニット１７０４は、前記サービスデータを前記移動端末に送信する。
【０１３６】
上記各ユニットの機能は、図１３〜図１６に示すフローの対応処理工程に対応してもよく、ここでは繰り返して記載しない。
【０１３７】
本発明の上記実施例３に係る移動端末通信制御方法に基づき、本発明の実施例３は、マスタ基地局に応用する移動端末通信制御装置を更に提供し、その構造が図１８に模式的に示され、受信ユニット１８０１と確定ユニット１８０２と第１送信ユニット１８０３とを含む。
前記受信ユニット１８０１は、前記マスタ基地局で移動端末の無線リンク失敗が生じたことを示すリンク失敗指示メッセージをスレーブ基地局から受信する。
前記確定ユニット１８０２は、前記スレーブ基地局との間の情報のやりとりにより、前記移動端末の前記マスタ基地局での通信を前記スレーブ基地局にハンドオーバするよう確定する。
前記第１送信ユニット１８０３は、前記移動端末に対し、コアネットワーク側の移動管理実体からの前記マスタ基地局へのパスを前記スレーブ基地局へのものに変換するよう要求するためのパス変換メッセージを移動管理実体に送信する。
【０１３８】
また、前記移動端末通信制御装置は、前記移動端末の前記マスタ基地局での通信を前記スレーブ基地局にハンドオーバするよう要求するためのハンドオーバ要求メッセージを前記スレーブ基地局に送信するための第２送信ユニット１８０４を更に含む。
【０１３９】
前記受信ユニット１８０１は、前記スレーブ基地局からのハンドオーバ確認メッセージを受信する。
【０１４０】
前記確定ユニット１８０２は、前記ハンドオーバ確認メッセージに基づき、前記移動端末の前記マスタ基地局での通信を前記スレーブ基地局にハンドオーバするよう確定する。
【０１４１】
また、前記第２送信ユニット１８０４は、前記移動端末の前記マスタ基地局での通信を前記スレーブ基地局にハンドオーバするよう前記確定ユニットにより確定した後に、前記移動端末に伝送すべきサービスデータを前記スレーブ基地局に送信し、前記スレーブ基地局により、前記サービスデータを前記移動端末に転送する。
【０１４２】
上記各ユニットの機能は、図１３〜図１６に示すフローの対応処理工程に対応してもよく、ここでは繰り返して記載しない。
【０１４３】
本発明の上記実施例３に係る移動端末通信制御方法に基づき、本発明の実施例３は、マスタ基地局とスレーブ基地局に同時にアクセスする移動端末を更に提供し、その構造が図１９に模式的に示され、送信ユニット１９０１と受信ユニット１９０２とハンドオーバユニット１９０３とを含む。
前記送信ユニット１９０１は、前記マスタ基地局で前記移動端末の無線リンク失敗が生じると、マスタ基地局で前記移動端末の無線リンク失敗が生じたことを示す無線リンク失敗メッセージを前記スレーブ基地局に送信する。
前記受信ユニット１９０２は、前記マスタ基地局で通信を前記スレーブ基地局にハンドオーバするよう前記移動端末に指示するためのハンドオーバ命令メッセージを受信する。
前記ハンドオーバユニット１９０３は、前記マスタ基地局での通信を前記スレーブ基地局にハンドオーバする。
【０１４４】
また、前記ハンドオーバユニット１９０３は、前記マスタ基地局で配置される制御プレーン情報を削除し、前記マスタ基地局でのデータ通信を前記スレーブ基地局にハンドオーバし、前記スレーブ基地局での制御プレーン情報を配置する。
【０１４５】
上記各ユニットの機能は、図１３〜図１６に示すフローの対応処理工程に対応してもよく、ここでは繰り返して記載しない。
【０１４６】
以上の記載をまとめると、本発明の実施例に係る技術は、スレーブ基地局が、マスタ基地局で移動端末の無線リンク失敗が生じたことを示す無線リンク失敗メッセージを当該移動端末から受信することと、マスタ基地局で当該移動端末の無線リンク失敗が生じたことを示すリンク失敗指示メッセージをマスタ基地局に送信することと、マスタ基地局との間の情報のやりとりにより、当該移動端末のマスタ基地局での通信をスレーブ基地局にハンドオーバするよう確定することと、マスタ基地局での通信をスレーブ基地局にハンドオーバするよう当該移動端末に指示するためのハンドオーバ命令メッセージを当該移動端末に送信することとを含む。本発明の実施例に係る技術を採用することにより、デュアルリンク方式の移動端末がマスタ基地局で無線リンク失敗となると、移動端末通信を効果的に制御することができる。
実施例４
【０１４７】
本発明の実施例４に係るスレーブ基地局に応用する移動端末通信制御方法は、図２０に示すように、ステップ２００１〜ステップ２００４を含む。
ステップ２００１において、スレーブ基地局は、マスタ基地局で移動端末の無線リンク失敗が生じたことを示す無線リンク失敗メッセージを移動端末から受信する。
ステップ２００２において、スレーブ基地局は、マスタ基地局で移動端末の無線リンク失敗が生じたことを示すリンク失敗指示メッセージをマスタ基地局に送信する。
ステップ２００３において、スレーブ基地局は、マスタ基地局からリンク失敗指示メッセージの受信後に返信され、当該移動端末に対する無線配置情報とランダムアクセスリソース情報を受信する。
ステップ２００４において、スレーブ基地局は、当該無線配置情報と当該ランダムアクセスリソース情報が付帯されるものであって、当該無線配置情報と当該ランダムアクセスリソース情報を用いてマスタ基地局に再アクセスするよう移動端末に指示するための再アクセス指示メッセージを移動端末に送信する。
【０１４８】
本発明の実施例４に係るマスタ基地局に応用する移動端末通信制御方法は、図２１に示すように、ステップ２１０１〜ステップ２１０３を含む。
ステップ２１０１において、マスタ基地局は、マスタ基地局で移動端末の無線リンク失敗が生じたことを示すリンク失敗指示メッセージをスレーブ基地局から受信する。
ステップ２１０２において、マスタ基地局は、当該移動端末に対し無線プロトコルレイヤを再配置する。
ステップ２１０３において、マスタ基地局は、当該移動端末がマスタ基地局に再アクセスするための、当該移動端末に対する無線配置情報とランダムアクセスリソース情報をスレーブ基地局に送信する
【０１４９】
本発明の実施例４に係る移動端末に応用する移動端末通信制御方法は、図２２に示すように、ステップ２２０１〜ステップ２２０３を含む。
ステップ２２０１において、マスタ基地局とスレーブ基地局に同時にアクセスする移動端末は、マスタ基地局で無線リンク失敗が生じると、マスタ基地局で当該移動端末の無線リンク失敗が生じたことを示す無線リンク失敗メッセージをスレーブ基地局に送信する。
ステップ２２０２において、移動端末は、マスタ基地局で当該移動端末の無線リンク失敗が生じたことを示すリンク失敗指示メッセージをスレーブ基地局からマスタ基地局に送信した後にマスタ基地局からスレーブ基地局に送信される無線配置情報とランダムアクセスリソース情報が付帯される再アクセス指示メッセージをスレーブ基地局から受信する。
ステップ２２０３において、移動端末は、当該無線配置情報と当該ランダムアクセスリソース情報を用いてマスタ基地局に再アクセスする。
【０１５０】
本発明の実施例４に係る上記図２０〜図２２に示す移動端末通信制御方法によれば、移動端末がマスタ基地局で無線リンク失敗が生じると、まず当該マスタ基地局に再アクセスするための移動端末制御を試みてもよい。よって、当該移動端末が再度デュアルリンクになり、当該移動端末の良好な通信品質を引き続き保証することができる。
【０１５１】
以下、本発明の実施例４に係る上記技術を、具体的な実施例により詳細に記載する。
【０１５２】
図２３は、本発明の実施例４に係る移動端末通信制御方法の詳細なフローであり、ステップ２３０１〜ステップ２３１７を含む。
ステップ２３０１において、デュアルリンクの移動端末、即ちマスタ基地局とスレーブ基地局に同時にアクセスする移動端末は、マスタ基地局で無線リンク失敗が生じると、無線リンク失敗メッセージをスレーブ基地局に送信する。当該無線リンク失敗メッセージは、マスタ基地局で当該移動端末の無線リンク失敗が生じたことを示すものである。
当該無線リンク失敗メッセージは、ＲＲＣメッセージであってもよい。
ステップ２３０２において、スレーブ基地局は、当該無線リンク失敗メッセージに基づき、当該マスタ基地局で移動端末の無線リンク失敗が生じたことを確定する。
ステップ２３０３において、スレーブ基地局は、マスタ基地局で当該移動端末の無線リンク失敗が生じたことを示すリンク失敗指示メッセージをマスタ基地局に送信する。
ステップ２３０４において、マスタ基地局は、当該リンク失敗指示メッセージに基づき、マスタ基地局で当該移動端末の無線リンク失敗が生じたことを確定する。
ステップ２３０５において、マスタ基地局は、当該移動端末に対し無線プロトコルレイヤを再配置する。
本ステップにおいて、再配置する無線プロトコルレイヤは、ＰＤＣＰレイヤ、ＲＬＣレイヤ、ＭＡＣレイヤ、物理レイヤを含んでもよい。
無線プロトコルレイヤは、初期配置に再配置してもよく、必要に応じて所望の配置に再配置してもよいが、当該移動端末が再配置に基づき再アクセスできればよい。再配置の具体的な方式は、従来技術の各種方式を採用することができ、ここでは詳細に記載しない。
ステップ２３０６において、マスタ基地局は、当該移動端末に対し無線プロトコルレイヤを再配置した後に、当該移動端末に対する無線配置情報とランダムアクセスリソース情報をスレーブ基地局に送信する。当該無線配置情報とランダムアクセスリソース情報は、マスタ基地局への当該移動端末の再アクセスに用いられる。
ここで、当該無線配置情報とランダムアクセスリソース情報は、マスタ基地局の現在の実際状況に応じて、所定のメカニズムにより当該移動端末に割り当てもよいが、当該移動端末が当該無線配置情報とランダムアクセスリソース情報に基づき再アクセスできればよく、ここでは詳細に記載しない。
ステップ２３０７において、スレーブ基地局は、当該移動端末に対する無線配置情報とランダムアクセスリソース情報をマスタ基地局から受信した後に、当該無線配置情報と当該ランダムアクセスリソース情報が付帯される再アクセス指示メッセージを当該移動端末に送信する。
当該再アクセス指示メッセージには、所定のアクセス回数が付帯されてもよい。
当該再アクセス指示メッセージは、ＲＲＣメッセージであってもよい。
ステップ２３０８において、当該移動端末は、当該再アクセス指示メッセージを受信した後に、当該無線配置情報と当該ランダムアクセスリソース情報を取得し、当該無線配置情報と当該ランダムアクセスリソース情報で示されるランダムアクセスリソースを使用してマスタ基地局に再アクセスする。マスタ基地局に再アクセスする結果は、再アクセス成功と再アクセス失敗を含む。
また、当該再アクセス指示メッセージに所定のアクセス回数も付帯される場合に、マスタ基地局に再アクセスする過程で、アクセス失敗が生じると、引き続きアクセスするが、アクセス回数が当該所定のアクセス回数になっても相変わらずアクセス失敗であると、マスタ基地局への再アクセス失敗を確定する。
ステップ２３０９において、当該移動端末は、マスタ基地局へ再アクセス成功すると、マスタ基地局への当該移動端末の再アクセス成功を示す第１再アクセス成功メッセージをスレーブ基地局に送信する。
当該第１再アクセス成功メッセージは、ＲＲＣメッセージであってもよい。
ステップ２３１０において、マスタ基地局は、マスタ基地局へ当該移動端末の再アクセスが成功すると、マスタ基地局への当該移動端末の再アクセス成功を示す第２再アクセス成功メッセージをスレーブ基地局に送信する。
当該移動端末は、マスタ基地局への再アクセスが成功すると、デュアルリンクに復帰し、即ち引き続きマスタ基地局とスレーブ基地局により同時に通信することができる。マスタ基地局への当該移動端末の再アクセスが失敗すると、例えば図２３の点線ブロックに示されるステップ２３１１〜ステップ２３１７の処理フローに進んでもよい。
ステップ２３１１において、当該移動端末は、マスタ基地局への再アクセスが失敗すると、マスタ基地局へ当該移動端末の再アクセス失敗を示す第１再アクセス失敗メッセージをスレーブ基地局に送信する。
当該第１再アクセス失敗メッセージは、ＲＲＣメッセージであってもよい。
ステップ２３１２において、スレーブ基地局は、当該移動端末からの当該第１再アクセス失敗メッセージを受信した後に、マスタ基地局へ当該移動端末の再アクセス失敗を示す第２再アクセス失敗メッセージをマスタ基地局に送信する。
ステップ２３１３において、マスタ基地局は、スレーブ基地局からの当該第２再アクセス失敗メッセージを受信した後に、移動端末のマスタ基地局での通信をスレーブ基地局にハンドオーバするためのハンドオーバ要求メッセージをスレーブ基地局に送信する。
ステップ２３１４において、スレーブ基地局は、マスタ基地局からの当該ハンドオーバ要求メッセージを受信した後に、当該移動端末のマスタ基地局での通信のスレーブ基地局へのハンドオーバ確定を指示するためのハンドオーバ確認メッセージをマスタ基地局に送信する。
ステップ２３１５において、マスタ基地局は、スレーブ基地局からの当該ハンドオーバ確認メッセージを受信した後に、当該移動端末のマスタ基地局での通信のスレーブ基地局へにハンドオーバするよう確定し、当該移動端末に対し、コアネットワーク側の移動管理実体からのマスタ基地局へのパスをスレーブ基地局へのものに変換するよう要求するためのパス変換メッセージ（Ｐａｔｈ  Ｓｗｉｔｃｈ）を移動管理実体に送信する。即ち、当該移動端末に対し、移動管理実体とマスタ基地局との間の情報をやりとりを、移動管理実体とスレーブ基地局との間で行うように変換する。
ステップ２３１６において、スレーブ基地局は、当該移動端末のマスタ基地局での通信のスレーブ基地局にハンドオーバするよう確定した後に、マスタ基地局での通信をスレーブ基地局にハンドオーバするよう当該移動端末に指示するためのハンドオーバ命令メッセージを当該移動端末に送信する。
当該ハンドオーバ命令メッセージには、再配置情報が付帯されてもよい。
当該ハンドオーバ命令メッセージは、ＲＲＣメッセージであってもよい。
ステップ２３１７において、当該移動端末は、スレーブ基地局からのハンドオーバ命令メッセージを受信した後に、マスタ基地局での通信をスレーブ基地局にハンドオーバする。
本ステップにおいて、まず、マスタ基地局で配置される制御プレーン情報を削除し、それから、マスタ基地局でのデータ通信をスレーブ基地局にハンドオーバし、スレーブ基地局での制御プレーン情報を配置してもよい。
また、当該ハンドオーバ命令メッセージに再配置情報が付帯される場合に、当該再配置情報に基づき、スレーブ基地局での制御プレーン情報を配置してもよい。
【０１５３】
本発明の実施例４に係る上記図２３の方法において、マスタ基地局は、移動端末のマスタ基地局での通信をスレーブ基地局にハンドオーバするよう確定した後に、現在移動端末に伝送すべきサービスデータが存在する場合に、移動端末に伝送すべき当該サービスデータをスレーブ基地局に送信してもよい。スレーブ基地局は、マスタ基地局からの当該サービスデータを受信した後に、当該サービスデータを移動端末に送信し、移動端末の通信中のサービスデータ紛失を回避することができる。
【０１５４】
本発明の実施例４に係る上記移動端末通信制御方法は、移動端末がマスタ基地局で無線リンク失敗が生じると、まず当該マスタ基地局へ再アクセスするための移動端末制御を試みてもよい。よって、当該移動端末が再度にデュアルリンクになり、当該移動端末の良好な通信品質を引き続き保証することができる。
しかも、マスタ基地局への再アクセスが失敗すると、スレーブ基地局は、マスタ基地局との間の情報のやり取りにより、移動端末のマスタ基地局での通信をスレーブ基地局にハンドオーバするよう制御する。よって、移動端末は、ハンドオーバの後に、スレーブ基地局のみを介して効果的に通信することができ、引き続きマスタ基地局を介した通信を試みようとして通信に失敗することが回避される。
【０１５５】
本発明の上記実施例４に係る移動端末通信制御方法に基づき、本発明の実施例４は、スレーブ基地局に応用する移動端末通信制御装置を更に提供し、その構造が図２４に模式的に示され、第１受信ユニット２４０１と第１送信ユニット２４０２と第２受信ユニット２４０３と第２送信ユニット２４０４とを含む。
前記第１受信ユニット２４０１は、マスタ基地局で移動端末の無線リンク失敗が生じたことを示す無線リンク失敗メッセージを前記移動端末から受信する。
前記第１送信ユニット２４０２は、前記マスタ基地局で前記移動端末の無線リンク失敗が生じたことを示すリンク失敗指示メッセージを前記マスタ基地局に送信する。
前記第２受信ユニット２４０３は、前記マスタ基地局から前記リンク失敗指示メッセージの受信後に返信され、前記移動端末に対する無線配置情報とランダムアクセスリソース情報を受信する。
前記第２送信ユニット２４０４は、前記無線配置情報と前記ランダムアクセスリソース情報が付帯されるものであって、前記無線配置情報と前記ランダムアクセスリソース情報を用いて前記マスタ基地局に再アクセスするよう前記移動端末に指示するための再アクセス指示メッセージを前記移動端末に送信する。
【０１５６】
また、前記第１受信ユニット２４０１は、前記第２送信ユニットから前記移動端末に前記再アクセス指示メッセージを送信した後に、前記マスタ基地局へ前記移動端末の再アクセス成功を示す第１再アクセス成功メッセージを前記移動端末から受信する。前記第２受信ユニット２４０３は、前記第２送信ユニットから前記移動端末に前記再アクセス指示メッセージを送信した後に、前記マスタ基地局へ前記移動端末の再アクセス成功を示す第２再アクセス成功メッセージを前記マスタ基地局から受信する。
【０１５７】
また、前記第１受信ユニット２４０１は、前記第２送信ユニットから前記移動端末に前記再アクセス指示メッセージを送信した後に、前記マスタ基地局へ前記移動端末の再アクセス失敗を示す第１再アクセス失敗メッセージを前記移動端末から受信する。
【０１５８】
前記第１送信ユニット２４０２は、前記マスタ基地局へ前記移動端末の再アクセス失敗を示す第２再アクセス失敗メッセージを前記マスタ基地局に送信する。
【０１５９】
前記移動端末通信制御装置は、前記マスタ基地局との間の情報のやり取りにより、前記移動端末の前記マスタ基地局での通信を前記スレーブ基地局にハンドオーバすると確定するための確定ユニット２４０５を更に含む。
【０１６０】
前記第２送信ユニット２４０４は、前記マスタ基地局での通信を前記スレーブ基地局にハンドオーバするよう前記移動端末に指示するためのハンドオーバ命令メッセージを前記移動端末に送信する。
【０１６１】
また、前記第２受信ユニット２４０３は、前記移動端末の前記マスタ基地局での通信を前記スレーブ基地局にハンドオーバするよう要求するためのハンドオーバ要求メッセージを前記マスタ基地局から受信する。
【０１６２】
前記第１送信ユニット２４０２は、ハンドオーバ確認メッセージを前記マスタ基地局に送信する。
【０１６３】
前記確定ユニット２４０５は、前記第１送信ユニットから前記マスタ基地局にハンドオーバ確認メッセージを送信した後に、前記移動端末の前記マスタ基地局での通信を前記スレーブ基地局にハンドオーバするよう確定する。
【０１６４】
また、前記第２受信ユニット２４０３は、前記移動端末の前記マスタ基地局での通信を前記スレーブ基地局にハンドオーバするよう前記確定ユニットにより確定するした後に、前記移動端末に伝送すべきサービスデータを前記マスタ基地局から受信する。
【０１６５】
前記第２送信ユニット２４０４は、前記サービスデータを前記移動端末に送信する。
【０１６６】
上記各ユニットの機能は、図２０〜図２３に示すフローの対応処理工程に対応してもよく、ここでは繰り返して記載しない。
【０１６７】
本発明の上記実施例４に係る上記移動端末通信制御方法に基づき、本発明の実施例４は、マスタ基地局に応用する移動端末通信制御装置を更に提供し、その構造が図２５に模式的に示され、受信ユニット２５０１と配置ユニット２５０２と第１送信ユニット２５０３とを含む。
前記受信ユニット２５０１は、前記マスタ基地局で移動端末の無線リンク失敗が生じたことを示すリンク失敗指示メッセージをスレーブ基地局から受信する。
前記配置ユニット２５０２は、前記移動端末に対し無線プロトコルレイヤを再配置する。
前記第１送信ユニット２５０３は、前記移動端末が前記マスタ基地局に再アクセスするための、前記移動端末に対する無線配置情報とランダムアクセスリソース情報を前記スレーブ基地局に送信する。
【０１６８】
また、前記第１送信ユニット２５０３は、前記マスタ基地局へ前記移動端末の再アクセスが成功すると、前記マスタ基地局へ前記移動端末の再アクセス成功を示す第２再アクセス成功メッセージを前記スレーブ基地局に送信する。
【０１６９】
また、前記受信ユニット２５０１は、前記マスタ基地局へ前記移動端末の再アクセス失敗を示す第２再アクセス失敗メッセージを前記スレーブ基地局から受信する。
【０１７０】
前記移動端末通信制御装置は、第１確定ユニット２５０４と第２確定ユニットと２５０５と第２送信ユニット２５０６とを更に含む。
前記第１確定ユニット２５０４は、前記第２再アクセス失敗メッセージに基づき、前記マスタ基地局へ前記移動端末の再アクセス失敗を確定する。
前記第２確定ユニットと２５０５は、前記スレーブ基地局との間の情報のやりとりにより、前記移動端末の前記マスタ基地局での通信を前記スレーブ基地局にハンドオーバするよう確定する。
前記第２送信ユニット２５０６は、前記移動端末に対し、コアネットワーク側の移動管理実体からの前記マスタ基地局へのパスを前記スレーブ基地局へのものに変換するよう要求するためのパス変換メッセージを移動管理実体に送信する。
【０１７１】
また、前記第１送信ユニット２５０３は、前記移動端末の前記マスタ基地局での通信を前記スレーブ基地局にハンドオーバするよう要求するためのハンドオーバ要求メッセージを前記スレーブ基地局に送信する。
【０１７２】
前記受信ユニット２５０１は、前記スレーブ基地局からのハンドオーバ確認メッセージを受信する。
【０１７３】
前記第２確定ユニットと２５０５は、前記ハンドオーバ確認メッセージに基づき、前記移動端末の前記マスタ基地局での通信を前記スレーブ基地局にハンドオーバするよう確定する。
【０１７４】
また、前記第１送信ユニット２５０３は、前記移動端末の前記マスタ基地局での通信を前記スレーブ基地局にハンドオーバするよう前記第２確定ユニットにより確定するした後に、前記移動端末に伝送すべきサービスデータを前記スレーブ基地局に送信し、前記スレーブ基地局により、前記サービスデータを前記移動端末に転送する。
【０１７５】
上記各ユニットの機能は、図２０〜図２３に示すフローの対応処理工程に対応してもよく、ここでは繰り返して記載しない。
【０１７６】
本発明の上記実施例４に係る移動端末通信制御方法に基づき、本発明の実施例４は、マスタ基地局とスレーブ基地局に同時にアクセスする移動端末を更に提供し、その構造が図２６に模式的に示され、送信ユニット２６０１と受信ユニット２６０２とアクセスユニット２６０３とを含む。
前記送信ユニット２６０１は、前記マスタ基地局で前記移動端末の無線リンク失敗が生じると、マスタ基地局で前記移動端末の無線リンク失敗が生じたことを示す無線リンク失敗メッセージを前記スレーブ基地局に送信する。
前記受信ユニット２６０２は、前記マスタ基地局で前記移動端末の無線リンク失敗が生じたことを示すリンク失敗指示メッセージを前記スレーブ基地局から前記マスタ基地局に送信した後に前記マスタ基地局から前記スレーブ基地局に送信される無線配置情報とランダムアクセスリソース情報が付帯される再アクセス指示メッセージを前記スレーブ基地局から受信する。
前記アクセスユニット２６０３は、前記無線配置情報と前記ランダムアクセスリソース情報を用いて前記マスタ基地局に再アクセスする。
【０１７７】
また、前記送信ユニット２６０１は、前記マスタ基地局へ前記移動端末の再アクセスが成功すると、前記マスタ基地局へ前記移動端末の再アクセス成功を示す第１再アクセス成功メッセージを前記スレーブ基地局に送信する。前記マスタ基地局へ前記移動端末の再アクセスが失敗すると、前記マスタ基地局へ前記移動端末の再アクセス失敗を示す第１再アクセス失敗メッセージを前記スレーブ基地局に送信する。
【０１７８】
また、前記受信ユニット２６０２は、前記送信ユニットから前記スレーブ基地局へ前記第１再アクセス失敗メッセージを送信した後に、前記マスタ基地局での通信を前記スレーブ基地局にハンドオーバするよう前記移動端末に指示するためのハンドオーバ命令メッセージを前記スレーブ基地局から受信する。
【０１７９】
前記移動端末は、前記マスタ基地局での通信を前記スレーブ基地局にハンドオーバするためのハンドオーバユニット２６０４を更に含む。
【０１８０】
また、前記ハンドオーバユニット２６０４は、前記マスタ基地局で配置される制御プレーン情報を削除し、前記マスタ基地局でのデータ通信を前記スレーブ基地局にハンドオーバし、前記スレーブ基地局での制御プレーン情報を配置する。
【０１８１】
上記各ユニットの機能は、図２０〜図２３に示すフローの対応処理工程に対応してもよく、ここでは繰り返して記載しない。
【０１８２】
以上の記載をまとめると、本発明の実施例に係る技術は、スレーブ基地局が、マスタ基地局で移動端末の無線リンク失敗が生じたことを示す無線リンク失敗メッセージを移動端末から受信することと、マスタ基地局で移動端末の無線リンク失敗が生じたことを示すリンク失敗指示メッセージをマスタ基地局に送信することと、マスタ基地局からリンク失敗指示メッセージの受信後に返信され、当該移動端末に対する無線配置情報とランダムアクセスリソース情報を受信することと、当該無線配置情報と当該ランダムアクセスリソース情報が付帯されるものであって、当該無線配置情報と当該ランダムアクセスリソース情報を用いてマスタ基地局に再アクセスするよう移動端末に指示するための再アクセス指示メッセージを移動端末に送信することを含む。本発明の実施例に係る技術によれば、デュアルリンク方式の移動端末がマスタ基地局で無線リンク失敗となると、移動端末通信を効果的に制御することができる。
【０１８３】
本発明の一実施例は、マスタ基地局に応用する移動端末通信制御方法を更に提供し、図２７に示すように、ステップ２７０１〜ステップ２７０６を含む。
ステップ２７０１において、マスタ基地局は、スレーブ基地局で移動端末の無線リンク失敗が生じたことを示す無線リンク失敗メッセージを当該移動端末から受信する。
ステップ２７０２において、マスタ基地局は、前記スレーブ基地局への再アクセスを前記移動端末に指示するかを判断し、指示する場合ステップＳ２７０３を実行するが、指示しない場合ステップ２７０６を実行する。
実際の応用時に、前記マスタ基地局は、スレーブ基地局の負荷状況、又は前記移動端末のネットワーク状況などの要素に応じて、前記スレーブ基地局への再アクセスを前記移動端末に指示するかを判断する。
ステップ２７０３において、マスタ基地局は、スレーブ基地局で当該移動端末の無線リンク失敗が生じたことを示すリンク失敗指示メッセージをスレーブ基地局に送信する。
ステップ２７０４において、マスタ基地局は、スレーブ基地局からリンク失敗指示メッセージの受信後に返信され、当該移動端末に対する無線配置情報とランダムアクセスリソース情報を受信する。
ステップ２７０５において、マスタ基地局は、当該無線配置情報と当該ランダムアクセスリソース情報が付帯されるものであって、当該無線配置情報と当該ランダムアクセスリソース情報を用いてマスタ基地局に再アクセスするよう当該移動端末に指示するための再アクセス指示メッセージを当該移動端末に送信する。
ステップ２７０６において、マスタ基地局は、スレーブ基地局の非アクティブを当該移動端末に指示するための第１非アクティブ指示メッセージを当該移動端末に送信する。
【０１８４】
本実施例において、移動端末がスレーブ基地局に対し非アクティブする詳細な過程は、実施例１の関連記載を参照されたい。
【０１８５】
本実施例において、前記移動端末が当該無線配置情報と当該ランダムアクセスリソース情報を使用してスレーブ基地局に再アクセスする過程は、実施例２の関連記載を参照されたい。
【０１８６】
また、前記移動端末は、前記スレーブ基地局への再アクセスが失敗すると、前記スレーブ基地局へ前記移動端末の再アクセス失敗を示す再アクセス失敗メッセージを前記マスタ基地局に送信する。前記マスタ基地局は、ステップ２７０６を実行し、スレーブ基地局の非アクティブを前記移動端末に指示する。
【０１８７】
本願は、スレーブ基地局に応用する移動端末通信制御方法を更に提供し、図２８に示すように、ステップ２８０１〜ステップ２８０８を含む。
ステップ２８０１において、スレーブ基地局は、マスタ基地局で移動端末の無線リンク失敗が生じたことを示す無線リンク失敗メッセージを当該移動端末から受信する。
ステップ２８０２において、スレーブ基地局は、前記マスタ基地局への再アクセスを前記移動端末に指示するかを判断し、指示する場合ステップ２８０３を実行するが、指示しない場合ステップ２８０６を実行する。
実際の応用時に、前記スレーブ基地局は、前記マスタ基地局の負荷状況、又は前記移動端末のネットワーク状況などの要素に応じて、前記マスタ基地局への再アクセスを前記移動端末に指示するかを判断する。
ステップ２８０３において、スレーブ基地局は、マスタ基地局で移動端末の無線リンク失敗が生じたことを示すリンク失敗指示メッセージをマスタ基地局に送信する。
ステップ２８０４において、スレーブ基地局は、マスタ基地局からリンク失敗指示メッセージの受信後に返信され、当該移動端末に対する無線配置情報とランダムアクセスリソース情報を受信する。
ステップ２８０５において、スレーブ基地局は、当該無線配置情報と当該ランダムアクセスリソース情報が付帯されるものであって、当該無線配置情報と当該ランダムアクセスリソース情報を用いてマスタ基地局に再アクセスするよう移動端末に指示するための再アクセス指示メッセージを移動端末に送信する。
ステップ２８０６において、スレーブ基地局は、マスタ基地局で当該移動端末の無線リンク失敗が生じたことを示すリンク失敗指示メッセージをマスタ基地局に送信する。
ステップ２８０７において、スレーブ基地局は、マスタ基地局との間の情報のやりとりにより、当該移動端末のマスタ基地局での通信をスレーブ基地局にハンドオーバするよう確定する。
ステップ２８０８において、スレーブ基地局は、マスタ基地局での通信をスレーブ基地局にハンドオーバするよう当該移動端末に指示するためのハンドオーバ命令メッセージを当該移動端末に送信する。
【０１８８】
本発明の実施例において、前記移動端末が当該無線配置情報と当該ランダムアクセスリソース情報を使用してマスタ基地局に再アクセスする過程は、実施例４の関連記載を参照されたい。
【０１８９】
また、当該移動端末は、マスタ基地局への再アクセスが失敗すると、マスタ基地局へ当該移動端末の再アクセス失敗を示す第１再アクセス失敗メッセージをスレーブ基地局に送信する。スレーブ基地局は、当該移動端末からの当該第１再アクセス失敗メッセージを受信した後に、マスタ基地局へ当該移動端末の再アクセス失敗を示す第２再アクセス失敗メッセージをマスタ基地局に送信する。マスタ基地局は、スレーブ基地局から当該第２再アクセス失敗メッセージを受信した後に、ステップ２８０７と２８０８を実行して、前記移動端末のマスタ基地局での通信をスレーブ基地局にハンドオーバする。
【０１９０】
本発明の実施例において、前記移動端末がマスタ基地局での通信をスレーブ基地局にハンドオーバする過程は、実施例３の関連記載を参照されたい。
【０１９１】
本願の実施例に係る移動端末通信制御装置は、コンピュータプログラムにより実現可能である。上記のモジュール区分方式は、複数のモジュール区分方式のうちの一つである。ほかのモジュールに区分したりモジュールの区分をしなかったりしても、移動端末通信制御装置が上記機能を有するのであれば、いずれも本願の保護範囲内に含まれる。これは、当業者が理解できることである。
【０１９２】
本発明は、本発明の実施例に係る方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを通用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【０１９３】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１９４】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１９５】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
2016536930.tif 000003
【図２】
2016536930.tif 000004
【図３】
2016536930.tif 000005
【図４】
2016536930.tif 000006
【図５】
2016536930.tif 000007
【図６】
2016536930.tif 000008
【図７】
2016536930.tif 000009
【図８】
2016536930.tif 000010
【図９】
2016536930.tif 000011
【図１０】
2016536930.tif 000012
【図１１】
2016536930.tif 000013
【図１２】
2016536930.tif 000014
【図１３】
2016536930.tif 000015
【図１４】
2016536930.tif 000016
【図１５】
2016536930.tif 000017
【図１６】
2016536930.tif 000018
【図１７】
2016536930.tif 000019
【図１８】
2016536930.tif 000020
【図１９】
2016536930.tif 000021
【図２０】
2016536930.tif 000022
【図２１】
2016536930.tif 000023
【図２２】
2016536930.tif 000024
【図２３】
2016536930.tif 000025
【図２４】
2016536930.tif 000026
【図２５】
2016536930.tif 000027
【図２６】
2016536930.tif 000028
【図２７】
2016536930.tif 000029
【図２８】
2016536930.tif 000030
【国際調査報告】
2016536930.tif 000031
2016536930.tif 000032
2016536930.tif 000033
2016536930.tif 000034